(57)【要約】【課題】アナログ形式でビデオ信号をビデオリンクを介して伝達するビデオシステムを提供する。【解決手段】ビデオライン反転を使用して、周期干渉信号が、有線リンク／接続を介したビデオ信号のアナログ伝送に及ぼす影響を低減するシステムおよび方法が、本明細書に開示される。本開示の１つの態様では、特定の環境において、送信機は、ビデオ信号を受信機に送信する前に、ビデオライン反転をビデオ信号のビデオラインの特定の部分集合に対して行なうように構成することができ、受信機は、対応する反転を、受信機で受信されるビデオ信号のビデオラインの同じ部分集合に対して行なうように構成することができる。送信機および受信機により行なわれるこのようなビデオライン反転により、ビデオ信号に伝送中に影響を及ぼす可能性のある周期干渉信号の影響を有利に低減する、または無くして、受信機側でレンダリングされるビデオの質を向上させることができる。【選択図】図７
2020184754.tif 000002
【特許請求の範囲】
【請求項１】
アナログ形式でビデオ信号を、ビデオリンクを介して伝達するビデオシステムであって、前記システムは受信機を備え、前記受信機は、
送信機により前記ビデオリンクを介して送信されるビデオ信号の第１の部分を受信し、
前記ビデオ信号の前記第１の部分の第１のビデオラインのノイズ信号と、前記ビデオ信号の前記第１の部分の第２のビデオラインのノイズ信号との間の位相差を導出し、
前記位相差が、所定範囲内にあると判定された場合、前記受信機により受信された前記ビデオ信号の第２の部分を、前記ビデオ信号の前記第２の部分の複数のビデオラインの部分集合を反転させることにより変調するように構成されている、ビデオシステム。
【請求項２】
前記第１のビデオラインおよび前記第２のビデオラインは、前記ビデオ信号の前記第１の部分の単一フレームに関連付けられる連続ラインである、請求項１に記載のビデオシステム。
【請求項３】
前記第１のビデオラインおよび前記第２のビデオラインは、前記ビデオ信号の前記第１の部分の単一フレームに関連付けられる不連続ラインである、請求項１に記載のビデオシステム。
【請求項４】
前記第１のビデオラインおよび前記第２のビデオラインは、前記ビデオ信号の前記第１の部分の異なるフレームに関連付けられるビデオラインである、請求項１に記載のビデオシステム。
【請求項５】
前記位相差は、前記ビデオ信号の前記第１の部分の第１の水平ブランキング区間（ＨＢＩ）の一部分の前記ノイズ信号と、前記ビデオ信号の前記第１の部分の第２のＨＢＩの一部分の前記ノイズ信号を比較することにより導出される、請求項１に記載のビデオシステム。
【請求項６】
前記第１のＨＢＩの前記一部分は、前記第１のＨＢＩのフロントポーチ、バックポーチ、または水平同期パルスのうちの１つであり、
前記第２のＨＢＩの前記一部分は、前記第２のＨＢＩのフロントポーチ、バックポーチ、または水平同期パルスのうちの１つである、請求項５に記載のビデオシステム。
【請求項７】
前記位相差は、前記位相差の絶対値が９０度未満である場合に前記所定範囲内にある、請求項１に記載のビデオシステム。
【請求項８】
前記ビデオ信号の前記第２の部分の前記複数のビデオラインの前記部分集合は、前記ビデオ信号の前記第２の部分の前記複数のビデオラインの１つおきのビデオラインを含む、請求項１に記載のビデオシステム。
【請求項９】
前記位相差が前記所定範囲内にあると判定された場合、前記送信機は、前記送信機が前記ビデオ信号の前記第２の部分の前記複数のビデオラインの前記部分集合を反転させるビデオライン反転を有効にするように構成されている、請求項１に記載のビデオシステム。
【請求項１０】
前記受信機は、前記位相差が前記所定範囲内にあると判定された場合に、前記ビデオライン反転を有効にする旨の指示を前記送信機に提供するようにさらに構成されており、
前記送信機は、前記指示の前記受信機からの受信に応答して、前記ビデオライン反転を有効にするように構成されている、請求項９に記載のビデオシステム。
【請求項１１】
前記送信機は、前記ビデオライン反転を、手動で構成されることにより有効にするように構成されている、請求項９に記載のビデオシステム。
【請求項１２】
前記受信機は、前記ビデオライン反転が前記送信機において有効であるかどうかを示す指示を受信するようにさらに構成されている、請求項９に記載のビデオシステム。
【請求項１３】
アナログ形式でビデオ信号を、有線接続を介して伝達するビデオシステムであって、前記システムは送信機を備え、前記送信機は、
送信出力ビデオ信号（Ｔｘ出力）を送信入力ビデオ信号（Ｔｘ入力）に基づいて、前記Ｔｘ入力の複数のビデオラインの部分集合を反転させることにより生成し、
前記複数のビデオラインの前記部分集合が反転させた旨の指示を受信機に提供し、
前記Ｔｘ出力を前記受信機にアナログ形式で前記有線接続を介して送信するように構成されている、ビデオシステム。
【請求項１４】
前記受信機をさらに備え、前記受信機は、
受信入力ビデオ信号（Ｒｘ入力）を受信することであって、前記Ｒｘ入力は前記Ｔｘ出力を表わす、受信することと、
前記Ｔｘ出力の前記複数のビデオラインの前記部分集合が反転された旨の前記指示を受信することと、
受信出力ビデオ信号（Ｒｘ出力）を前記Ｒｘ入力に基づいて、前記Ｒｘ入力の前記複数のビデオラインの前記部分集合を反転させることにより生成することと、を行うように構成されている、請求項１３に記載のビデオシステム。
【請求項１５】
前記受信機は、
送信機が前記Ｔｘ出力を、前記Ｔｘ入力の前記複数のビデオラインの前記部分集合を反転させることにより生成する前に、前記送信機から前記受信機への伝送中に前記Ｔｘ出力に付加されるノイズ信号により、目に見える劣化が生じると判定し、前記Ｔｘ出力を、前記Ｔｘ入力の前記複数のビデオラインの前記部分集合を反転させることにより生成する指示を前記送信機に提供するようにさらに構成されている、請求項１４に記載のビデオシステム。
【請求項１６】
アナログ形式でビデオ信号を、ビデオリンクを介して伝達するビデオシステムであって、前記システムは、
受信機と、
送信機と、を備え、
前記送信機は、ビデオ信号を前記受信機に送信するように構成されており、
前記受信機は、前記送信機により送信される前記ビデオ信号を受信するように構成されており、
前記受信機により受信される前記ビデオ信号が周期ノイズ信号を含み、前記受信機により受信される前記ビデオ信号の前記周期ノイズ信号のライン間位相差が、所定範囲内にある場合、前記送信機は、前記ビデオ信号を前記受信機に送信する前に、前記ビデオ信号の複数のビデオラインの部分集合を反転させるように構成されており、前記受信機は、前記受信機により受信される前記ビデオ信号の前記複数のビデオラインの前記部分集合を反転させるように構成されている、ビデオシステム。
【請求項１７】
前記所定範囲は、−９０度〜＋９０度である、請求項１６に記載のビデオシステム。
【請求項１８】
前記ビデオ信号の前記複数のビデオラインの前記部分集合は、前記ビデオ信号の少なくとも１つの一部分のアクティブ画素値を１ラインおきに含む、請求項１６に記載のビデオシステム。
【請求項１９】
前記受信機は、前記受信機により受信される前記ビデオ信号の前記周期ノイズ信号の前記ライン間位相差を導出するように構成されており、前記受信機により受信される前記ビデオ信号の前記周期ノイズ信号の前記ライン間位相差が前記所定範囲内にあると判定された場合に指示を前記送信機に提供するようにさらに構成されている、請求項１６に記載のビデオシステム。
【請求項２０】
前記送信機は、前記ビデオ信号を前記受信機に送信する前に、前記送信機が、前記ビデオ信号の前記複数のビデオラインの前記部分集合を反転させる場合に前記送信機におけるライン反転を有効にする旨の指示を前記受信機に提供するように構成されている、請求項１６に記載のビデオシステム。
【発明の詳細な説明】
【技術分野】
【０００１】
本開示は、ビデオ伝送の分野、特にアナログビデオ伝送に関する。
【背景技術】
【０００２】
自動車のインフォテインメント、自動運転支援システム（ＡＤＡＳ）、自動運転車両、およびセキュリティ監視システムのようなリアルタイムのビデオ情報取得に依拠するビデオを利用した用途は普通、１つ以上のカメラによるビデオデータの撮影および生成を伴う。このようなカメラは、例えば、電荷結合素子（ＣＣＤ）、相補型金属酸化膜半導体（ＣＭＯＳ）イメージセンサ、または広く言えば、デバイスに入射する光子をデジタル（生の、または画素の）ビデオデータに変換する任意の他の適切なビデオ撮影デバイスを含むことができる。このような用途では、ビデオデータは普通、カメラから他のデバイスにリアルタイムに送信して処理する必要がある。このようなデバイスは、例えば、電子制御ユニット（ＥＣＵ）を含むか、または通信システムもしくは警告システムの構成要素を含むことができる。このようなデバイスは、例えば、特殊なソフトウェアを実行して処理および分析タスクを、取得した画像および／またはビデオデータに基づいて実行し、それに応じて出力を提供することができる。カメラとビデオデータ受信デバイス／プロセッサとの間のデータの転送を有効にする伝送インフラストラクチャのレイヤの組み合わせは、「ビデオリンク」または「カメラリンク」と呼ばれる場合がある。
【０００３】
様々なファクタが、ビデオリンクのコスト、および質、堅牢性に影響し得る。スペース／表面積のような物理的制約およびさらには規制が、ビデオリンク要件または仕様に、さらなる制約を課す可能性があるので、トレードオフおよび創意工夫を実践する必要がある。
【図面の簡単な説明】
【０００４】
本開示ならびに本開示の特徴および利点のより完全な理解を得るために、以下の説明が、同様の参照番号が同様の構成要素を表わす添付の図面と併せて参照される。
【図１】本開示の幾つかの実施形態による例示的なビデオ信号の概略図である。
【図２】本開示の幾つかの実施形態によるシングルエンド伝送方式におけるＡＣ結合回路の概略図を示している。
【図３】本開示の幾つかの実施形態による差動伝送方式におけるＡＣ結合回路の概略図を示している。
【図４】ビデオ信号のアナログ伝送に影響を及ぼす周期干渉ノイズ信号の概略図を示している。
【図５】本開示の幾つかの実施形態によるビデオラインと位相がずれているノイズ信号の概略図である。
【図６】本開示の幾つかの実施形態によるビデオラインと同相になっているノイズ信号の概略図である。
【図７】本開示の幾つかの実施形態によるビデオラインと同相になっているノイズ信号、ならびに送信機および受信機により行なわれるビデオ反転の概略図である。
【図８】本開示の幾つかの実施形態によるビデオライン反転を、アナログビデオリンクを介して送信されるビデオ信号に対して行なうように構成されるシステムを操作する方法のフローチャートである。
【図９】本開示の幾つかの実施形態による例示的なビデオシステムを示すブロック図を示している。
【図１０】本開示の幾つかの実施形態による例示的なデータ処理システムを示すブロック図を示している。
【発明を実施するための形態】
【０００５】
概要
本開示のシステム、方法、およびデバイスはそれぞれ、幾つかの革新的な態様を有し、これらの態様のうちどれも、本明細書において開示される所望の属性の全てに単独で関与することはない。本明細書において説明される主題の１つ以上の実施態様の詳細は、以下の説明および添付の図面に記載されている。
【０００６】
本明細書において開示されるのは、ビデオライン反転を使用して、有線リンク／接続を介したビデオ信号のアナログ伝送に及ぼす周期干渉信号（例えば、電磁干渉（ＥＭＩ））の影響を低減するシステムおよび方法である。このようなシステムおよび方法は、これらに限定されないが、車両（「ｖｅｈｉｃｌｅ（車両）」という用語は、乗用車、トラック、またはバスのような車輪付き車両を含むだけでなく、例えば飛行機、航空機、または宇宙船も含む）、監視システム、または任意の他の環境であって、そのような環境内（例えば、車両内）の１つの場所に配置される送信機、およびそのような環境内の別の場所に配置される受信機が、アナログ形式でビデオ信号および他のデータを互いに有線リンクを介して伝達する必要があり得る任意の他の環境に使用されるために特に適している。ビデオ信号は、例えば、送信機に通信可能に結合されるカメラ内のイメージセンサにより取得することができる。さらに、本開示は主に、ビデオリンクおよびビデオ信号について説明しているが、本明細書において説明されるビデオライン反転は、アナログ伝送チャネルを介して送信される画像信号またはビデオ信号および画像信号の任意の組み合わせにも適用可能である。
【０００７】
本開示の１つの態様では、ビデオシステムは、アナログビデオ信号を受信機に送信するように構成される送信機を含む。特定の環境では、送信機は、ビデオ信号を受信機に送信する前に、ビデオライン反転をビデオ信号のビデオラインの特定の部分集合に対して行なうように構成することができ、受信機は、対応する反転を、受信機で受信されるビデオ信号のビデオラインの同じ部分集合に対して行なうように構成することができる。送信機および受信機により行なわれるこのようなビデオライン反転は、伝送中のビデオ信号に影響する可能性のある周期干渉信号の影響を有利に低減する、または無くして、受信機側でレンダリングされるビデオの質を向上させることができる。例えば、受信機は、送信機によりビデオリンクを介して送信されるビデオ信号の第１の部分を受信して、ビデオ信号の第１の部分の第１のビデオラインのノイズ信号とビデオ信号の第１の部分の第２のビデオラインのノイズ信号との位相差を導出するように構成することができる。このような位相差は、ビデオ信号の第１の部分のノイズ信号のライン間の位相差（すなわち、１つのビデオラインと次の、連続する、ビデオラインの位相差）を表わす。位相差が所定の範囲以内にあると判定された場合、受信機は、受信機により受信されるビデオ信号の第２の部分を、ビデオ信号の第２の部分の複数のビデオラインの部分集合を反転させることにより変調し、その後、受信機が、受信ビデオ信号をレンダリングして表示するように構成することができる。
【０００８】
本明細書において使用されるように、ビデオ信号の第１および第２の部分は、送信機から受信機に送信される所定のビデオ信号の異なる部分を指している。すなわち、第１の部分は、ビデオ信号の所定部分を受信機が使用して、ビデオライン反転が有利であり得るかどうかを、例えば、受信機で受信されるビデオ信号の第１の部分に関して導出されるノイズ信号位相差に基づいて判定することができる部分である。これとは異なり、第２の部分は、例えば、受信機が送信機に対して、このようなビデオライン反転が有利であることを指示することに応答して、送信機がビデオライン反転を実行するように送信されるビデオ信号の部分である。ビデオ信号を受信機に送信する前に、送信機がビデオライン反転をビデオ信号のビデオラインの特定の部分集合に対して（すなわち、ビデオ信号の第２の部分のビデオラインの特定の部分集合に対して）行ない、受信機が、対応するビデオライン反転を、受信機で受信されるビデオ信号のビデオラインの同じ部分集合に対して行なうことにより、伝送中のビデオ信号に影響する可能性のある周期干渉信号の影響を有利に低減する、または無くすことができる。幾つかの実施形態では、送信機側および受信機側のライン反転はデジタル的に行なうことができる（すなわち、ライン反転はデジタル信号に適用することができる）。
【０００９】
本開示の他の態様は、このようなシステムを動作させる方法、ならびにハードウェアプロセッサにより実行されると、プロセッサが、ビデオライン反転を使用してビデオ信号のアナログ伝送に対する周期干渉の影響を低減する方法を実行するようになる命令を格納するコンピュータ可読記憶媒体を提供する。
【００１０】
当業者が理解しているように、本開示の態様、特に本明細書において提案されるビデオライン反転を実行する態様は、様々な方法で−例えば、方法、システム、コンピュータプログラム製品、またはコンピュータ可読記憶媒体として−具体化することができる。したがって、本開示の態様は、完全なハードウェア実施形態、完全なソフトウェア実施形態（ファームウェア、常駐ソフトウェア、マイクロコードなどを含む）、または全て一括して本明細書において「ｃｉｒｃｕｉｔ（回路）」、「ｍｏｄｕｌｅ（モジュール）」、または「ｓｙｓｔｅｍ（システム）」と呼ぶことができるソフトウェア態様およびハードウェア態様を組み合わせた実施形態の形態を採ることができる。本開示において説明される機能は、１つ以上のハードウェア処理ユニット、例えば、１つ以上のコンピュータの１つ以上のマイクロプロセッサにより実行されるアルゴリズムとして実行することができる。様々な実施形態では、本明細書において説明される方法の各方法の異なるステップおよびステップの一部は、異なる処理ユニットにより実行することができる。さらに、本開示の態様は、好ましくは非一時的であり、媒体で具体化される、例えば、媒体に格納されるコンピュータ可読プログラムコードを有する１つ以上のコンピュータ可読媒体（群）で具体化されるコンピュータプログラム製品の形態を採ることができる。様々な実施形態では、このようなコンピュータプログラムは、例えば、既存のデバイスおよびシステム（例えば、既存のビデオ伝送システム、特に、送信機、受信機、および／またはそれらのコントローラを含む既存のアナログビデオ伝送システムなど）にダウンロード（更新）することができるか、またはこれらのデバイスおよびシステムの製造時に格納することができる。
【００１１】
以下の詳細な説明は、所定の特定の実施形態の様々な記述を提示する。しかしながら、本明細書において説明される革新的技術は、例えば特許請求の範囲または選択された例により定義および包含される通り、非常に多くの異なる方法で具体化することができる。以下の説明では、同様の参照番号が同一または機能的に同様の要素を指すことができる図面が参照される。図面に示される要素は必ずしも寸法通りには描かれていないことを理解できるであろう。さらに、特定の実施形態は、図面に示されているよりも多くの要素および／または図面に示されている要素の一部を含むことができることを理解できるであろう。さらに、幾つかの実施形態は、２つ以上の図面に由来する特徴の任意の適切な組み合わせを組み込むことができる。
【００１２】
本開示の他の特徴および利点は、以下の説明および特許請求の範囲から明らかになる。
【００１３】
アナログビデオ伝送
本明細書において説明されるビデオライン反転技法を例示するために、まず、アナログビデオ伝送に関与し得る現象を理解することが有用となり得る。以下の基本的な情報は、本開示を適正に説明することができる基礎であると考えられ得る。このような情報は、説明のみを目的として提供され、したがって、本開示の広い範囲および本開示の潜在的な用途を限定するものであると決して解釈されるべきではない。
【００１４】
サラウンドビューＡＤＡＳまたは（セキュリティ）監視システムのようなシステム要素間（例えば、イメージセンサとイメージセンサから特定の距離に実装されるプロセッサとの間）のビデオデータの転送を必要とするシステムでは、カメラにより取得されるビデオデータは、デジタル形式で、例えば、イメージセンサにより取得されたＲＡＷデータとすることができる、例えば、シリアル化されたデジタルビットストリームとして送信することができる、または所定の処理形式で、例えば、ＲＡＷイメージセンサデータに対してデモザイク処理を実行する画像システムプロセッサ（ＩＳＰ）により生成されるＹＵＶデータで送信することができる。あるいは、カメラにより取得されるビデオデータを伝送前にアナログ信号にフォーマット化し、次にアナログ形式で送信することができる。
【００１５】
アナログビデオ信号伝送は、デジタル伝送と対照的に有利となり得る。デジタル伝送のシリアル化の性質により、デジタル伝送がアナログ伝送よりも高い帯域幅を必要とするようになる。より高い帯域幅の要件を満たすために、より高価なインフラストラクチャが必要になる。また、ビット精度はデジタル伝送において維持され、アナログ伝送において低下し得るが、デジタル伝送に発生する誤差の影響は、出力ビデオの質の点でアナログ伝送に発生する誤差の影響よりもはるかに大きくなり得る。このように、元のデジタルビデオデータをアナログ信号として送信すると、デジタル信号伝送よりも優れた幾つかの利点をもたらす。アナログ伝送に基づくシステムにより、コストを削減し、より堅牢な伝送を提供することができる。このように、イメージセンサは普通、デジタルビデオデータを出力するが、これをアナログ信号に変換してアナログビデオリンクを介して受信機に送信して、さらに処理することができる。
【００１６】
当該技術分野ではよく知られているが、ビデオデータの例示的なフォーマット化の簡単な説明が以下に示される。
【００１７】
通常のカメラでは、カラーは、各感光部位（または、画素）に当たる光をフィルタリングして、赤値、緑値、または青値を生成することにより生成される。最も頻繁に使用される感光部位の異なるカラーの配列（すなわち、カラーパターン）は、いわゆる「Ｂａｙｅｒ  ｐａｔｔｅｒｎ（ベイヤーパターン）」である。これと同様のカメラ（ビデオは画像列である）により取得される単一画像のＲＡＷデータは、異なるカラーの画素群の各画素の値を表わしている。言い換えると、単一画像の場合、ＲＡＷデータは、全赤色画素（すなわち、入射光をフィルタリングして赤色に関連するスペクトルの波長を検出するように構成される画素）の画素値、全緑色画素（すなわち、入射光をフィルタリングして緑色に関連するスペクトルの波長を検出するように構成される画素）の画素値、および全青色画素（すなわち、入射光をフィルタリングして青色に関連するスペクトルの波長を検出するように構成される画素）の画素値を含むことができる。各画素は、とりわけ、強度または大きさにより特徴付けることができ、特定の成分の特定の画素に捕獲／格納される信号の大きさを表わすために使用されるビット数（例えば、１０ビット）で表わされる。
【００１８】
ＲＡＷデータを処理して成分を形成することができ、これらの成分が次に、ビデオ信号で送信される。例えば、赤値、緑値、青値、またはこれらの値の処理後の所定の値は、取得した画像の異なる成分の一例であり、これらは一括して、「ＲＧＢ」カラースペースと呼ばれる。ＲＡＷデータは、デモザイク処理として知られる処理で補間され、次にＩＳＰにより他のタイプのカラースペースに変換され、例えば、「ＹＵＶ」カラースペースに変換され、Ｙは、光情報の強度を伝達する輝度成分であり、ＵおよびＶは、カラー情報を伝達するクロミナンス成分である。ビデオフレームは、１つ以上の成分の個々の画素の行列により構成することができる。幾つかの実施形態では、異なる成分は、異なるチャネルで送信することができる。特に明記しない限り、本明細書において与えられる説明は、特定の成分の画素値、または成分の任意の組み合わせを指すことができる。
【００１９】
ビデオフレームの画素値（画素値または画素は、画素値または画素が、カメラにより取得されるビデオフレームを表わす値を含むことを示す「ａｃｔｉｖｅ  ｐｉｘｅｌｓ（アクティブ画素）」と呼ばれる場合がある）は、本明細書において「ｖｉｄｅｏ  ｌｉｎｅｓ（ビデオライン）」と呼ばれる水平ラインにグループ化することができ、これらのビデオラインを垂直にグループ化する、または積み重ねてビデオフレームを形成することができる。画面は、適切な成分値（例えば、ＲＧＢ値またはＹＵＶ値）で表わされる画素値を、ビデオリンクを介して送信することにより、走査ラインごとに形成される。しかしながら、成分ストリーム、たとえばＲＧＢカラーストリームを有するだけでは、ストリームのどの部分がディスプレイ上の特定の画素（例えば、左上の画素）に属しているかを認識するためには十分ではない。これを解決するために、さらに２つの信号を、送信されることになるアクティブ画素値を含むビデオ信号に追加する−１つの信号は、水平同期（「ｈｏｒｉｚｏｎｔａｌ  ｓｙｎｃ（水平同期）」）パルスを含む信号であり、別の信号は、垂直同期（「ｈｏｒｉｚｏｎｔａｌ  ｓｙｎｃ（水平同期）」）パルスを含む信号である。水平同期パルスが、異なるビデオラインの基準となる（すなわち、水平同期パルスは、ラインの開始点の指標となる）のに対し、垂直同期パルスは、異なるビデオフレームの基準となる（すなわち、垂直同期パルスは、フレームの開始点の指標となる）。水平同期パルス（または、単に「ｈｏｒｉｚｏｎｔａｌ  ｓｙｎｃ（水平同期）」）は、特定のビデオラインの画素値を持つストリームが開始する前に、および／またはビデオラインが終了するときにビデオ信号に挿入されるパルスとすることができる（しかしながら、通常はビデオラインが開始する前に挿入される）。このように、「ｖｉｄｅｏ  ｌｉｎｅ（ビデオライン）」という用語は、ビデオフレームのラインのアクティブ画素データ（すなわち、画素値）を指し、当該データは２つの連続する水平同期パルスの間のビデオ信号に含まれる。２つの連続する水平同期パルスはしたがって、ビデオラインに「ａｓｓｏｃｉａｔｅｄ  ｗｉｔｈ（関連付けられて）」いると言える。垂直同期パルス（または、単に「ｖｅｒｔｉｃａｌ  ｓｙｎｃ（垂直同期）」、「ｖｅｒｔｉｃａｌ  ｒｅｔｒａｃｅ（垂直リトレース）」と表記される場合もある）は、特定のビデオフレームの全てのビデオラインが完了するときに、または／および新しいビデオフレームのビデオラインが開始する前のときに、ビデオ信号に挿入されるパルスまたはパルス列とすることができる。このように、各フレーム境界は、単一の垂直同期パルスまたはパルス列で区切られ得る。フレームの各ラインは、同じ画素数を有するので、連続する水平同期パルスの間の時間は一定である。各フルフレーム（すなわち、フレームのライン群の全てを有するフレーム）は同じ画素数を有するので、連続する垂直同期パルスの間の時間は一定である。このようにして、水平同期パルスおよび垂直同期パルスにより、ビデオ信号のどのカラー成分が画面に表示されるどの位置に属すかを判定することができる。全ての一般的なアナログビデオ伝送方式は、フレーム内の画素群のこの構成を模倣し、ラインの開始時間およびフレームの開始時間を、それぞれ水平同期パルスおよび垂直同期パルスでマークする。
【００２０】
図１は、アナログ（ビデオ）信号の簡易化された例を示し、どのようにして水平同期パルス１００をビデオ信号に含めて送信することができるかを示している。図１に示すように、各２つの連続する水平同期パルス１００の間に、アクティブ画素データを含めることができ、ビデオライン１０２および１０４（すなわち、ビデオフレームの２つの連続ラインのビデオデータを伝達するビデオ信号部分）として図１にラベル付けされている。パルス１００は、これらのパルスが、水平画素ラインとしてレンダリングされるアクティブ画素値の開始点を示しているという事実により、水平同期パルスと呼ばれる。垂直同期ライン（この例では図示されていない）は、新規ビデオフレーム（このビデオフレーム内では、複数の後続ビデオライン、すなわち水平画素（データ）ラインは、共通の垂直開始点を共有する）の開始を示している。必ずというわけではないが、通常、水平同期パルスは信号範囲の最も低い部分を占有する。所定の水平同期パルス１００の直前の平坦部分１０６は「ｆｒｏｎｔ  ｐｏｒｃｈ（フロントポーチ）」と呼ばれ、水平同期パルスの直後の水平部分１０８は「ｂａｃｋ  ｐｏｒｃｈ（バックポーチ）」と呼ばれ、これらの部分は、特定の所定信号レベル（例えば、両方がゼロ電圧レベルに設定されてもよい）に設定することができ、次に使用されて、水平同期パルス１００をビデオ信号内に特定することができる。一括して、フロントポーチ１０６、水平同期パルス１００、およびバックポーチ１０８は、「ｈｏｒｉｚｏｎｔａｌ  ｂｌａｎｋｉｎｇ  ｉｎｔｅｒｖａｌ（水平ブランキング区間）」（ＨＢＩ）と呼ばれる。
【００２１】
ここで、どのようにしてビデオ信号を送信機から受信機に送信することができるかについて目を向けると、有線伝送線路を介したアナログ信号伝送を実行するために、交流（Ａｌｔｅｒｎａｔｉｎｇ  Ｃｕｒｒｅｎｔ：ＡＣ）カップリングと直流（Ｄｉｒｅｃｔ  Ｃｕｒｒｅｎｔ：ＤＣ）カップリング（後者は「ｃｏｎｄｕｃｔｉｖｅ  ｃｏｕｐｌｉｎｇ（導電性カップリング）」とも呼ばれる）との間で選択を行なうことができる。
【００２２】
ＡＣカップリングは、少なくとも１つのカップリングコンデンサの使用が必要であり、コンデンサは、このようなコンデンサが必要ではないＤＣカップリングと比べると付加的な構成要素である。送信機と受信機との間のＡＣ結合有線伝送線路は通常、送信機の後ろに、かつ伝送チャネルの前に配置される第１のカップリングコンデンサと、伝送チャネルの後ろに、かつ受信機の前に配置される第２のカップリングコンデンサと、を含む。本明細書において使用される場合、「ｃｏｕｐｌｉｎｇ  ｃａｐａｃｉｔｏｒ（カップリングコンデンサ）」という用語は、１つ以上のカップリングコンデンサを指すことができる。これとは異なり、ＤＣカップリングでは、抵抗または単に配線（群）のみが使用され、カップリングコンデンサは使用されないので、ＤＣカップリングは、その簡単な実装、低コストおよび省スペース要件により好適とすることができる。
【００２３】
さらに、カップリングコンデンサ（群）は、両端部の終端抵抗、および有線伝送ケーブルのインピーダンスと一緒に、高帯域通過フィルタとして機能することができるので、アナログ信号の低周波数成分の伝送を減衰させることができる。これは、このような信号の周波数スペクトルが多くの場合、このような高帯域通過フィルタリングに対して脆弱なＤＣレベルおよび低周波数要素を含むため、画像情報の損失または歪みが生じるので、ビデオ信号の伝送に関係している。このようなことから、ビデオ信号を非常に低い周波数まで下げて、ＤＣレベル成分まで下げて維持できることが望ましい。これは、ＡＣカップリングに使用されるカップリングコンデンサ（群）を十分大きくして、受信機の終端で形成される高帯域通過フィルタのカットオフ周波数を最小限に抑える必要があり得る、および／またはなんらかの他の独創的な技術が使用されることを意味している。
【００２４】
ＡＣカップリングは、コンデンサのサイズ要件により望ましくないオプションと見なされ得るが、特定の用途では、ＡＣカップリングが、幾つかの障害状態に対する耐性を向上させるので、非常に有利となり得る。これは、例えば、自動車用途／車両用途の場合であり、ＤＣ電圧レベルをブロックするため、ＡＣ結合リンクにはバッテリ短絡（ＳＴＢ）障害に対する耐性が本質的にあるので、ＳＴＢ障害状態時の損傷のリスクを低減することが、ＡＣ結合ビデオリンクの目的となり得る。このようなことから、ビデオ信号をＡＣ結合アナログ信号形式で送信することは、特に自動車用途において、費用対効果が高く堅牢な伝送オプションとなり得る。
【００２５】
様々な実施形態では、本明細書において説明されるビデオライン反転駆動法は、ＡＣ結合アナログ伝送またはＤＣ結合アナログ伝送のいずれかに使用することができる。
【００２６】
幾つかの実施形態では、本明細書において説明されるビデオライン反転駆動法は、ＡＣ結合アナログビデオ伝送を実行するシステムにおいて実行することができる。様々な実施形態では、ビデオデータを転送するＡＣ結合伝送線路は、シングルエンド伝送方式または差動ペア伝送方式のいずれかに従って実装することができる。幾つかの実施態様では、差動ペアビデオ伝送は、シングルエンドビデオ伝送と比較してノイズに対する耐性がより強いという恩恵を受けることができるので、非常に有利となり得る。
【００２７】
ＡＣ結合伝送線路のシングルエンド実装の幾つかの実施形態では、それぞれのカップリングコンデンサをシングルエンド伝送線路の両側の各側に配置することができる、すなわち１つのカップリングコンデンサを送信機と線路の導体ケーブルとの間に配置し、別のカップリングコンデンサを当該導体ケーブルと受信機との間に配置することができる。ＡＣ結合伝送線路の差動実装の幾つかの実施形態では、それぞれのカップリングコンデンサペアを差動ペア伝送線路の両側の各側に配置する、すなわちカップリングコンデンサペアを送信機と線路の導体ケーブルとの間に配置し、別のカップリングコンデンサペアを当該導体ケーブルと受信機との間に配置することができる。様々な実施形態では、導体ケーブル（または、単に「ｃａｂｌｅ（ケーブル）」）は、任意の適切なケーブル配線方式で、例えば、使用する伝送方式に応じて（すなわち、伝送方式がシングルエンドまたは差動であるかどうかに応じて）、単一導体（すなわち、導体ワイヤ）、同軸ケーブル、または非シールドツイストペア（ＵＴＰ）もしくはＳＴＰ（シールドツイストペア）のような二重導体として実装することができる。幾つかの実施形態では、ビデオ伝送チャネルのケーブルは、ＲＣＡタイプのケーブルまたは同軸ケーブル（同軸ケーブルは、少なくとも部分的に導電性材料のシールド内に封止される信号ワイヤを含む）、またはシールド束内の非シールドＡＶＳＳ、ＣＩＶＵＳもしくは同様の信号ワイヤを含むことができる。
【００２８】
図２および図３は、シングルエンド伝送チャネルおよび差動ペア伝送チャネルのそれぞれの概略例を示している。
【００２９】
図２に示すＡＣ結合伝送方式２００では、アナログ形式ビデオ信号を含むことができる信号は、伝送チャネル２０８と見なすことができる単一の導体ケーブル２０８を介して送信される。幾つかの実施形態では、導体ケーブル２０８は、簡単な導電性ワイヤを含むことができる。幾つかの実施形態では、導体ケーブル２０８は、コア導電性ワイヤと、導電性シールドと、を含む同軸ケーブルを含むことができ、コアワイヤはビデオ信号を伝達し、シールドは接地されている。伝送方式２００はシングルエンドシグナリング伝送方式であるので、第１のワイヤのみが送信機と受信機の間で変化する電圧を伝達するのに対し、第２のワイヤ導体（図２には図示されていない）は、基準電圧信号（図２に示す基準接地２１４により提供される信号のような）に接続されて、基準電圧信号を伝達することができる。図２に示すように、導体ケーブル２０８は、送信機２０２および受信機２１６を接続する。この方式では、１つ以上のカップリングコンデンサ２０６ａ、２０６ｂを送信機２０２と受信機２１６との間に接続することができる。具体的には、１つ以上のカップリングコンデンサ２０６ａは、送信機２０２と導体ケーブル２０８との間に接続することができ、１つ以上のカップリングコンデンサ２０６ｂは、導体ケーブル２０８と受信機２１６との間に接続することができる。送信機２０２が全抵抗２０４を示すことができるのに対し、受信機２１６は送信機２０２に直列に接続される全抵抗２１２を示すことができる。
【００３０】
あるいは、図３に示すＡＣ結合伝送方式３００では、アナログ形式ビデオ信号を含むことができる信号は、伝送チャネル３０８と見なすことができる差動ペア導体ケーブル３０８を介して送信される。幾つかの実施形態では、導体ケーブル３０８は、ＵＴＰケーブルまたはＳＴＰケーブルを含むことができる。シングルエンド実装は、そのより簡単な実装および低コストにより、有利となり得るが、差動ペアシグナリング伝送方式は、外部ＥＭＩに対する耐性を提供し、リンクにより生成される電磁放射の量を低減することができるので有利である。これは、差動線路ペアの２つの個別の信号／線路の特性を選択してコモンモード干渉信号を相殺を提供することができるからである。図３に示すように、差動ペア方式の２つの線路の抵抗３０４ａおよび３０４ｂ（送信機３０２に直列に接続される）を示すことができる送信機３０２は、導体ケーブル３０８にカップリングコンデンサペア３０６ａ、３０６ｂを介して接続される。同様に、受信機３１６は、導体ケーブル３０８に抵抗３１２（受信機３１６に並列に接続される）およびカップリングコンデンサペア３０６ｃ、３０６ｄを介して結合される。
【００３１】
周期干渉信号の不所望な影響
場合によっては、ノイズ信号は、送信機から受信機に送信されているアナログビデオ信号に不所望に干渉する場合がある。アナログビデオ信号はしたがって、このようなノイズ信号の影響を受けると言える。幾つかの配置シナリオでは、干渉は、１つ以上の周期ノイズ信号、例えば、周期ＥＭＩノイズ信号の形態とすることができ、当該ノイズ信号は、送信されているビデオ信号に付加される場合がある。このようなシナリオの概略図が図４に示されている。
【００３２】
図４は、送信機４１０および受信機４２０を含むビデオシステム４００を示している。送信機４２０は、ビデオ信号を受信機４２０にケーブル４０８を介して送信するように構成される。幾つかの実施形態では、送信機４１０、受信機４２０、およびケーブル４０８は、それぞれ図２の送信機２０２、受信機２１６、およびケーブル２０８として実装することができる。他の実施形態では、送信機４１０、受信機４２０、およびケーブル４０８は、それぞれ図３の送信機３０２、受信機３１６、およびケーブル２０８として実装することができる。幾つかの実施形態では、送信機４１０、受信機４２０、およびケーブル４０８は、それぞれ図９の送信機９１０、受信機９２０、およびケーブル９３０として実装することができる。
【００３３】
図４に示すように、送信機４１０は、「Ｔｘ（送信）入力」４１２と呼ぶことができる入力ビデオ信号を受信することができ、Ｔｘ入力４１２に基づいて、「Ｔｘ出力」４１４と呼ぶことができる出力ビデオ信号を生成することができる。次に、Ｔｘ出力４１４が、送信機４１０から受信機４２０にケーブル４０８を介して送信されている。伝送中、周期ノイズ信号（または、複数の周期ノイズ信号）は、Ｔｘ出力４１４に干渉することにより影響を与える場合がある。このようなノイズ信号は図４に正弦波ノイズ信号４０２で図示されているが、本開示の様々な実施形態では、ノイズ信号４０２は、本明細書において説明されるＴｘ出力４１４に干渉し得る任意の周期信号を含むことができる。加算器４０４によって図４に概略的に図示されているように、ノイズ信号４０２は、Ｔｘ出力４１４に効果的に付加されるか、または重畳され得る。その結果、「Ｒｘ（受信）入力」４２２と呼ぶことができる受信機４２０の入力ビデオ信号は、Ｔｘ出力４１４およびノイズ信号４０２の組み合わせ（例えば、合計）を含む。受信機４２０は、Ｒｘ入力４２２を処理し、Ｒｘ入力４２２に基づいて、「Ｒｘ出力」４２４と呼ぶことができる出力ビデオ信号を生成するように構成することができる。次に、Ｒｘ出力４２４は、ディスプレイ上でレンダリングすることができる。
【００３４】
本開示の発明者らは、ノイズ信号４０２が周期信号である場合、このような信号がＴｘ出力４１４に付加されると、Ｒｘ入力４２２のビデオラインごとのノイズ信号に特定の位相差が生じることに気づいた。発明者らはさらに、このような位相差の所定の範囲により、１つのビデオラインから別のビデオラインに至るまでにノイズ信号に位相ずれが生じるようになり、この場合、Ｒｘ出力４２４がディスプレイ上でレンダリングされると、ノイズ信号４０２は人間の目で空間的に統合されて、見えないことに気づいた。これとは異なり、ビデオラインごとの位相差の他の所定の範囲により、１つのビデオラインから別のビデオラインに至るまでのノイズ信号が同相のままであるか、または高度に関連付けられるようになり、この場合、ノイズ信号４０２は、Ｒｘ出力４２４がディスプレイ上でレンダリングされると、はっきりと見ることができ、画質が劣化する。
【００３５】
例えば、送信されるビデオ信号がアクティブビデオデータを含み、各フレームが７２０ラインを有し、各ラインが１２８０画素を有し、ビデオライン周波数が４５キロヘルツ（ＫＨｚ）であると考える。さらに、ビデオシステム４００が正弦波ノイズ信号（トーン）４０２に曝されると考える。ここで、ノイズ信号４０２の異なる周波数の２つの異なる例を分析する。
【００３６】
第１の例では、ノイズ信号４０２の周波数は１８メガヘルツ（ＭＨｚ）である。この場合、ノイズ信号４０２は、１８ＭＨｚ／４５ｋＨｚ＝４００であるので、ビデオライン当たり整数のサイクルを有する。これは、ノイズ信号４０２の位相がライン間で同一である「完全な」相関であると考えることができる。ノイズ信号４０２は、ビデオ信号に重畳し、山および谷の静的パターンとして画像に現われ、これは目に見えることになり、画質を乱す。
【００３７】
第２の例では、ノイズ信号４０２の周波数は１８．０２２５ＭＨｚである。この場合、ノイズ信号４０２は、ビデオライン当たり４００．５サイクル（１８．０２２５ＭＨｚ／４５ｋＨｚ＝４００．５）を有することになり、ノイズ信号４０２は、交互のラインで位相が１８０度ずれることになる（すなわち、ノイズ信号４０２の位相差は、ラインごとに１８０度になる）。画面に表示される場合、高精細ディスプレイの画素行の間の分離はこのように小さいので、色位相ずれが現われているようなグリッドは、人間の目に見えないことになる。
【００３８】
これまでの説明が示しているように、ラインごとのノイズ信号の位相差は、ノイズ信号の周波数に依存する（所定のビデオライン周波数の場合）。本開示の発明者らは、ラインごとのノイズ信号の位相差の４つの事例または４つの着目領域を特定することができることに気づいた。事例１：ビデオラインごとのノイズ信号の位相差は０〜９０度であり、この場合、ノイズはラインごとに高度に関連付けされ、はっきり見ることができ、画質を劣化させる。事例２：ビデオラインごとのノイズ信号の位相差は９０〜１８０度であり、この場合、ノイズがラインごとに位相ずれし、人間の目で空間的に統合される（見えない）。事例３：ビデオラインごとのノイズ信号の位相差は１８０〜２７０度であり、この場合、ノイズがラインごとに位相ずれし、人間の目で空間的に積分される（見えない）。事例４：ビデオラインごとのノイズ信号の位相差は２７０〜３６０度であり、この場合、ノイズはラインごとに高度に関連付けられ、はっきり見ることができ、画質を劣化させる。
【００３９】
この問題に対処するために、発明者らは、「ｖｉｄｅｏ  ｌｉｎｅ  ｉｎｖｅｒｓｉｏｎ（ビデオライン反転）」と呼ぶことができる技術を考案するに至り、この技術は、アナログビデオ信号を送信機から受信機に伝送するときに影響を及ぼし得る周期ノイズ信号の悪影響を低減するか、または無くすことができる。
ビデオライン反転
【００４０】
ビデオライン反転は、ラインごとの（すなわち、隣接するビデオラインの）ノイズ信号の位相差を９０〜２７０度にすることが可能な場合（上に説明した事例２および事例３）、ノイズ信号はラインごとに位相ずれし、人間の目には見えない。したがって、ビデオライン反転は、ノイズ信号の周波数に関係なく、ノイズ信号の位相差が隣接するビデオラインのノイズ信号の間で９０〜２７０度となる発生頻度を最大化することを目的としている。
【００４１】
ビデオライン反転の１つの実施形態を図４のビデオシステム４００を参照して例示すると、第１のステップでは、受信機４２０がノイズ信号の存在を特定し、ノイズ信号のライン間の位相差を導出することができる。位相差が０〜９０度である場合、または２７０〜３６０度である場合（すなわち、上に説明した事例１および事例４）、受信機４２０は、ビデオライン反転が必要であるという指示４０６を送信機４１０に提供することができる。次に、送信機４１０は、ビデオの反転を交互のラインで開始することができる。次に、受信機４１０は、この反転を検出し、ビデオデータへの影響を、第２の反転を行なうことにより無くすことができる。しかしながら、ノイズ信号４０２は伝送中にビデオ信号に付加されているので、第１の反転（すなわち、送信機４１０による反転）は当該ノイズ信号には適用されない。この場合、受信機４２０における第２の反転は、ノイズ信号４０２の位相を反転させることになり、これにより、隣接するビデオラインのノイズ信号４０２の位相差が、０〜９０度または２７０〜３６０度の領域にある状態から９０〜２７０度の領域にある状態に移動するようになる。このようにして、隣接するラインの間のノイズ信号４０２の位相差は、ノイズ信号が目に見えない最適な領域にある状態を維持することができる。このように、受信機４２０が、隣接するビデオラインの間のノイズ信号４０２の位相差が、上に説明した事例１および事例４の通りであると判定すると、ライン反転が有効になるのに対し、受信機４２０が、隣接するビデオラインの間のノイズ信号４０２の位相差が上に説明した事例２および事例３の通りであると判定すると、ライン反転は無効になる。本明細書において説明されるビデオラインごとのノイズ信号の位相差の異なるシナリオ、およびビデオライン反転を実施した結果は、図５〜図７の図を参照して説明することができる。
【００４２】
図５は、本開示の幾つかの実施形態によるノイズ信号がビデオラインで位相ずれしている状態の概略図５００である。具体的には、図５００は、図５において「ラインＮ」および「ラインＮ＋１」としてラベル付けされた２つの隣接するビデオラインを示しており、Ｎは、特定のビデオライン（Ｎ）および次のビデオライン（Ｎ＋１）を表わす整数である。ビデオラインごとに、図５００は、上に説明したように、Ｔｘ入力４１２、Ｔｘ出力４１４、Ｒｘ入力４２２、およびＲｘ出力４２４を示している。図５００は、ラインＮおよびＮ＋１の各ラインに関して、Ｒｘ入力４２２およびＲｘ出力４２４に重畳された破線正弦波曲線として図示されるノイズ信号４０２をさらに示している。ラインＮのＲｘ入力４２２とラインＮ＋１のＲｘ入力４２２との間のノイズ信号４０２の比較（すなわち、一点鎖線ボックス５０２内の図５に示すビデオライン）から、ラインＮ＋１のＲｘ入力４２２のノイズ信号４０２が、ラインＮのＲｘ入力４２２のノイズ信号４０２と位相が１８０度ずれていることが分かる。これは９０〜２７０度の領域内にあり（すなわち、上に説明した事例２および事例３）、これは、隣接するライン間のノイズ信号４０２の位相差が、既に最適な領域にあり、ノイズ信号が目に見えず、反転が必要ではないことを意味している。このように、ライン反転は、送信機４１０および受信機４２０の両方において無効になる。送信機４１０において無効になっているライン反転は、ラインＮ＋１のＴｘ入力４１２とＴｘ出力４１４を比較する（すなわち、一点鎖線ボックス５０４内の図５に示すビデオライン）ことにより、図５００から観察することができ、ラインＮ＋１のビデオデータが送信機４１０により反転していないことを示している。受信機４２０において無効になっているライン反転は、ラインＮ＋１のＲｘ入力４２２とＲｘ出力４２４を比較する（すなわち、一点鎖線ボックス５０６内の図５に示すビデオライン）ことにより、図５００から観察することができ、ラインＮ＋１のビデオデータが受信機４２０により反転していないことを示している。
【００４３】
図６は、本開示の幾つかの実施形態によるノイズ信号がビデオラインと同相になっている状態の概略図６００である。図５と同様に、図６００は、２つの隣接するビデオラインＮおよびＮ＋１に関するＴｘ入力４１２、Ｔｘ出力４１４、Ｒｘ入力４２２、およびＲｘ出力４２４、ならびにノイズ信号４０２の別の例を示している。ラインＮのＲｘ入力４２２とラインＮ＋１のＲｘ入力４２２との間のノイズ信号４０２の比較（すなわち、一点鎖線ボックス６０２内の図６に示すビデオライン）から、ラインＮ＋１のＲｘ入力４２２のノイズ信号４０２が、ラインＮのＲｘ入力４２２のノイズ信号４０２と同相（すなわち、０度の位相差）になっていることが分かる。これは、０〜９０度の領域内（すなわち、上に説明した事例１）にあり、これは、ノイズがラインごとに高度に関連付けられ、はっきり見ることができ、画質を劣化させることを意味している。このように、ライン反転は、図６に示すシナリオに役立つが、未だ有効にはならない。送信機４１０において無効になっているライン反転は、ラインＮ＋１のＴｘ入力４１２とＴｘ出力４１４を比較する（すなわち、一点鎖線ボックス６０４内の図６に示すビデオライン）ことにより、図６００から観察することができ、ラインＮ＋１のビデオデータが送信機４１０により反転していないことを示している。受信機４２０において無効になっているライン反転は、ラインＮ＋１のＲｘ入力４２２とＲｘ出力４２４を比較する（すなわち、一点鎖線ボックス６０６内の図６に示すビデオライン）ことにより、図６００から観察することができ、ラインＮ＋１のビデオデータが受信機４２０により反転していないことを示している。この場合、ディスプレイ上でレンダリングされると、Ｒｘ出力４２４は、ノイズ信号４０２の存在による視覚的な劣化を示すことになる。
【００４４】
図７は、本開示の幾つかの実施形態によるノイズ信号がビデオラインと同相になっていて、ビデオ反転が送信機および受信機で行なわれている状態の概略図７００である。図６と同様に、図７００は、２つの隣接するビデオラインＮおよびＮ＋１に関するＴｘ入力４１２、Ｔｘ出力４１４、Ｒｘ入力４２２、およびＲｘ出力４２４を示している。図７は、図６に示すノイズ信号と同じノイズ信号４０２の例を示している。すなわち、ラインＮのＲｘ入力４２２とラインＮ＋１のＲｘ入力４２２との間のノイズ信号４０２の比較（すなわち、一点鎖線ボックス７０２内の図７に示すビデオライン）から、ラインＮ＋１のＲｘ入力４２２のノイズ信号４０２が、ラインＮのＲｘ入力４２２のノイズ信号４０２と同相（すなわち、０度の位相差）になっていることが分かる。この場合も同じく、これは０〜９０度の領域内にあり（すなわち、上に説明した事例１）、これは、ノイズがラインごとに高度に関連付けられ、はっきり見ることができ、画質を劣化させていることを意味している。図６とは異なり、図７は、ライン反転が有効になる場合の信号を示している。送信機４１０において有効になっているライン反転は、ラインＮ＋１（すなわち、一点鎖線ボックス７０４内の図７に示すビデオライン）のＴｘ入力４１２とＴｘ出力４１４を比較することにより、図７００から観察することができ、ラインＮ＋１のビデオデータが送信機４１０により反転していることを示している（すなわち、ラインＮ＋１のＴｘ出力４１４は、ラインＮ＋１のＴｘ入力４１２に対して反転している）。受信機４２０において有効になっているライン反転は、ラインＮ＋１（すなわち、一点鎖線ボックス７０６内の図７に示すビデオライン）のＲｘ入力４２２とＲｘ出力４２４を比較することにより、図７００から観察することができ、ラインＮ＋１のビデオデータが受信機４２０により反転していることを示している（すなわち、ラインＮ＋１のＲｘ出力４２４がラインＮ＋１のＲｘ入力４２２に対して反転している）。受信機４２０での反転は１８０度を、Ｒｘ出力４２４のノイズ信号４０２のライン（すなわち、一点鎖線ボックス７０８内の図７に示すビデオライン）間の位相差に、Ｒｘ入力４２４のノイズ信号４０２のライン（すなわち、一点鎖線ボックス７０２内の図７に示されるビデオライン）間の位相差と比較して、効果的に付加している。これは、Ｒｘ出力４２４の隣接するラインの間のノイズ信号４０２の位相差は、ＲＸ入力４２２の場合の０度ではなく１８０度であり、これはＲｘ入力４２２を９０〜２７０度の最適な領域（すなわち、上に説明した事例２および事例３）に置き、したがって、ＲＸ出力４２４のノイズ信号４０２が、Ｒｘ出力４２４がディスプレイ上でレンダリングされると、目に見えないことになることを意味している。
【００４５】
図５〜図７の図により強調されるコンセプトを要約すると、ビデオライン反転がビデオシステム４００において行なわれる場合、受信機４２０は、Ｒｘ入力４２２のビデオラインごとのノイズ信号４０２の位相差を導出するように構成することができる。位相差が、当該位相差により、ノイズ信号４０２が画質を劣化させるようになると判定された場合、受信機４２０は、指示４０６を送信機４１０に提供して、ビデオライン反転を、送信されることになるビデオ信号のビデオラインの特定の部分集合に対して行なわせるように構成することができる。次に、送信機４１０は、ビデオライン反転をＴｘ入力４１２のビデオラインの特定の部分集合に対して行なって、Ｔｘ出力４１４を生成するように構成することができ、受信機は、ビデオライン反転をＲｘ入力４２２のビデオラインの対応する部分集合に対して行なってＲｘ出力４２４を生成するように構成することができる。受信機４２０側の反転は、送信機４１０側で行なわれる反転を効果的に打ち消すので、Ｒｘ出力４２４のビデオコンテンツがＴｘ入力４１２のビデオコンテンツに対応するようになる。しかしながら、受信機４２０側の反転は、送信機４１０から受信機４２０への伝送中にＴｘ出力４１４に付加される周期ノイズ信号４０２も反転させるので、当該反転は、ビデオラインごとのノイズ信号４０２の位相差に影響を及ぼして、１８０度の位相シフトをノイズ信号４０２に効果的に付加する。言い換えれば、受信機４２０側の反転は、Ｒｘ入力４２２の周期ノイズ信号４０２を反転させて、ノイズ信号４０２の反転ノイズ信号を有するＲｘ出力４２４を生成する。ノイズ信号４０２のこのような反転により、ノイズ信号４０２のライン間の位相差を、ノイズ信号が画質を視覚的に劣化させ得る範囲から、ノイズ信号が人間の目で空間的に積分されて見えなくなり得る範囲にシフトさせることができる。例えば、反転の前に、ノイズ信号４０２のライン間の位相差（すなわち、Ｒｘ入力４２２のノイズ信号４０２のライン間の位相差）が０〜９０度または２７０〜３６０度（すなわち、上に説明した事例１および事例４）である場合、受信機４２０により行なわれる反転により、ノイズ信号４０２のライン間の位相差（すなわち、Ｒｘ出力４２４のノイズ信号４０２のライン間の位相差）は、９０〜２７０度（上に説明した事例２および事例３）にシフトしている。このように、反転の前に、Ｒｘ入力４２２のノイズ信号４０２のライン間の位相差は、Ｒｘ入力４２２がディスプレイ上でレンダリングされる場合に、当該位相差により画質が劣化するような位相差になり得る。しかしながら、反転を受信機４２０により行なってＲｘ出力４２４をＲｘ入力４２２に基づいて生成することにより、Ｒｘ出力４２４のノイズ信号４０２のライン間の位相差が、ビデオラインごとのノイズ信号が位相ずれする範囲にシフトするようになり、この場合、Ｒｘ出力４２４のノイズ信号４０２は、Ｒｘ出力４２４がディスプレイ上でレンダリングされると、人間の目で空間的に統合されて、見えなくなる。
【００４６】
図８は、本開示の幾つかの実施形態によるアナログビデオリンクを介して送信されるビデオ信号のビデオライン反転を実行するように構成されるシステム、例えば、ビデオシステムを動作させる例示的な方法８００のフローチャートを示している。方法８００は、任意のビデオシステムを使用して実行することができ、ビデオ信号は、カメラにより取得されるか、または送信側で任意の他の方法で生成され、送信機によりアナログ形式で受信機に有線リンクを介して送信されて処理され、場合によっては、受信側のディスプレイ（すなわち、受信機により）に表示される。方法８００は、図４に示すビデオシステム４００を参照して例示される。しかしながら、一般に、方法８００は、全体として、または部分的に、本明細書において説明されるビデオライン反転を実行するように構成されている送信機および受信機を備える任意の他の適切なビデオシステム、例えば、以下に説明する、図９に示すビデオシステム９００および／または図１０に示すデータ処理システム１０００を使用して実行することができる。
【００４７】
方法８００は、ブロック８０２から開始することができ、ブロック８０２では、受信機４２０は、送信機４１０により送信されるビデオ信号の第１の部分を受信し（すなわち、受信機４２０はＴｘ出力４１４の第１の部分をＲｘ入力４２２として受信する）、受信ビデオ信号の第１の部分（すなわち、Ｒｘ入力４２２の第１の部分）の第１および第２のビデオラインのノイズ信号の位相差を導出する。一般に、位相差をブロック８０２で導出するように構成される受信機４２０は、受信機４２０により受信される信号のデータを処理するように構成される任意のデータ処理システムを含むことができる。幾つかの実施形態では、受信機４２０が位相差をブロック８０２で導出する場合の第１および第２のビデオラインは、Ｒｘ入力４２２の連続ビデオライン、例えばＲｘ入力４２２の単一フレームの連続ビデオラインとすることができる。他の実施形態では、受信機４２０が位相差をブロック８０２で導出する場合の第１および第２のビデオラインは、Ｒｘ入力４２２の不連続ビデオラインとすることができ、単一ビデオフレームのビデオラインまたはビデオ信号の２つの異なるビデオフレームのビデオラインのいずれかとすることができる。上に説明した図５〜図７の図は、連続ビデオラインの間の位相差の評価に言及しているが、Ｒｘ入力４２２の不連続ラインを含む任意の２つのビデオラインの分析は、上に説明した２つの連続ビデオラインの間の位相差に、ノイズ信号４０２の周波数とビデオライン周波数との関係に基づいて還元／変換することができる。したがって、ブロック８０２で受信されるビデオ信号の任意の２つのビデオラインの位相差を導出することにより、ノイズ信号４０２が、画質の劣化が見られるようなノイズ信号（すなわち、上に説明した事例１および事例４）であるか、またはノイズ信号４０２が、画質の劣化が見られないようなノイズ信号（すなわち、上に説明した事例２および事例３）であるかどうかの判定を可能にすることができる。
【００４８】
次に、方法８００はブロック８０４に進み、ブロック８０４では、受信機４２０により受信される信号のデータを処理するように構成される任意のデータ処理システムを含む受信機４２０は、ブロック８０２で導出される位相差に基づいて、ライン反転が必要かどうかを判定することができる。一般に、ブロック８０２で導出される位相差が特定の所定範囲（所定範囲は、複数のこのような範囲の１つの範囲とすることができる）内にある場合、ビデオ信号の第２の部分を、ビデオ信号の第２の部分の複数のビデオラインの部分集合を反転させることにより変調する形式のライン反転が必要となる場合があり、これを、受信機４２０がブロック８０４で評価することができる。例えば、上に説明したように、ライン反転は、２つの連続ラインの間の位相差が０〜９０度または２７０〜３６０度である（すなわち、上に説明した事例１および事例４）場合に必要であるとすることができる。これとは異なり、ライン反転は、２つの連続ラインの間の位相差が９０〜２７０である（すなわち、上に説明した事例２および事例３）場合に必要とはならない場合がある。この原則は、ビデオ信号の第１の部分の任意の第１および第２のラインに関して導出される位相差に、第１および第２のラインが連続ラインではない場合でも適用され、ライン反転を行なわない場合には、Ｒｘ出力４２４の位相ノイズが目に見えることになり、画質を劣化させることになるので、ライン反転が必要な１つ以上の位相差範囲を設定することができ、ライン反転なしでも、Ｒｘ出力４２４の位相ノイズが目に見えないことになるので、ライン反転が必要ではない１つ以上の位相差範囲を設定することができる。
【００４９】
ブロック８０４において、受信機４２０がライン反転が必要であると判定する場合、方法８００はブロック８０６に進み、ブロック８０６では、ライン反転機能を受信機４２０および送信機４１０の両方において有効にする。この目的のために、幾つかの実施形態では、受信機４２０は指示４０６を送信機４１０に提供してライン反転機能を有効にすることができる、または他の実施形態では、受信機４２０および送信機４１０の一方または両方を手動で構成してライン反転機能をブロック８０４の判定に基づいて有効にすることができる。ライン反転機能を有効にしてしばらくすると、例えば、図７のボックス７０４の例で示されるように、送信機４１０は、ライン反転を、送信されることになるビデオ信号（Ｔｘ入力４１２）のビデオラインの特定の部分集合に関するアクティブ画素データに対して行なって、幾つかのビデオラインがＴｘ入力４１２と比較して反転したＴｘ出力４１４を生成するように構成される。同様に、ライン反転機能を有効にしてしばらくすると、例えば、図７のボックス７０６の例で示されるように、受信機４２０は、ブロック８０８で図８に示されるように、ライン反転を、受信機４２０により受信されるビデオ信号（Ｒｘ入力４２２）のビデオラインの同じ部分集合に関するアクティブ画素データに対して行なって、幾つかのビデオラインがＲｘ入力４２２と比較して反転したＲｘ出力４２４を生成するように構成される。
【００５０】
ブロック８０４において、受信機４０２がライン反転が必要ではないと判定する場合、方法８００はブロック８１０に進み、ブロック８１０では、ライン反転機能を受信機４２０および送信機４１０の両方において無効にする。この目的のために、幾つかの実施形態では、受信機４２０は指示４０６を送信機４１０に提供してライン反転機能を無効にすることができる、または他の実施形態では、受信機４２０および送信機４１０の一方または両方を手動で構成してライン反転機能を、ブロック８０４の判定に基づいて無効にすることができる。ライン反転機能を無効にしてしばらくすると、例えば、図５のボックス５０４の例で示されるように、送信機４１０は、ライン反転を、ビデオ信号Ｔｘ入力４１２の任意のビデオラインに関するアクティブ画素データに対して行なわないことにより、これらのビデオラインのいずれのビデオラインもＴｘ入力４１２と比較して反転しないようにＴｘ出力４１４を生成するように構成される。同様に、ライン反転機能を無効にしてしばらくすると、例えば、図５のボックス５０６の例で示されるように、受信機４２０は、ブロック８１２で図８に示されるように、受信機４２０により受信されるビデオ信号（Ｒｘ入力４２２）の任意のビデオラインに関するアクティブ画素データに対してライン反転を行なわないことにより、これらのビデオラインのいずれのビデオラインもＲｘ入力４２２と比較して反転しないようにＲｘ出力４２４を生成するように構成される。
【００５１】
幾つかの実施形態では、方法８００は、ビデオ信号を送信機４１０から受信機４２０に伝送している間に複数回行なうことができ、これにより、ビデオシステム４００が、ノイズ信号４０２の変化し得る性質に適合させることができるので有利となり得る。上に説明したように、方法８００において言及されるビデオ信号の第１および第２の部分はそれぞれ、どの位相差が導出されて、ライン反転を有効または無効にする判定が行なわれるかに基づいたビデオ信号の一部分、およびライン反転を送信機および受信機において有効および無効にしたビデオ信号の一部分を単に指している。
【００５２】
例えば、幾つかの実施形態では、受信機４２０は、ブロック８０２を参照して説明した位相差を導出して、ブロック８０４を参照して説明したライン反転を有効または無効にすることに関する判定を、第１のビデオラインのＨＢＩの一部分のノイズ信号４０２を評価し、第２のビデオラインのＨＢＩの一部分のノイズ信号４０２を評価することにより行なうように構成することができる。このように、このような実施形態では、位相差をブロック８０２で、Ｒｘ入力４２２の第１のビデオラインのＨＢＩ（「ｆｉｒｓｔ  ＨＢＩ（第１のＨＢＩ）」）のノイズ信号４０２とＲｘ入力４２２の第２のビデオラインのＨＢＩ（「ｓｅｃｏｎｄ  ＨＢＩ（第２のＨＢＩ）」）のノイズ信号４０２との位相差として導出する。幾つかのこのような実施形態では、第１のＨＢＩおよび第２のＨＢＩは、ビデオ信号の第１の部分の単一ビデオフレームの２つの連続ビデオラインに関連付けられるＨＢＩとすることができる。他の実施形態では、第１のＨＢＩおよび第２のＨＢＩは、ビデオ信号の第１の部分の単一ビデオフレームの２つの不連続ビデオラインに関連付けられるＨＢＩとすることができる。さらに他の実施形態では、第１のＨＢＩおよび第２のＨＢＩは、２つの異なるフレームのビデオラインに関連付けられるＨＢＩとすることができる。これらの実施形態のいずれにおいても、第１および第２のＨＢＩは、位相差を導出するときの対象となる第１および第２のビデオラインに関連付けられていてもよいが、関連付けられる必要はない。このように、ノイズ信号は、ビデオ信号の第１の部分の所定の２つのビデオラインに関連付けられる第１および第２のＨＢＩに関して比較することができるが、比較の結果を使用して、どれほどの位相差が、ビデオ信号の第１の部分の所定の他の２つのビデオラインの間にあるかを推測することができる。このような例の幾つかの実施形態では、ノイズ信号を評価するときの対象となる第１のＨＢＩの一部分は、第１のＨＢＩのフロントポーチ、バックポーチ、または水平同期パルスのうちの１つとすることができる。同様に、ノイズ信号を評価するときの対象となる第２のＨＢＩの一部分は、第２のＨＢＩのフロントポーチ、バックポーチ、または水平同期パルスのうちの１つとすることができる。
【００５３】
別の例では、幾つかの実施形態において、位相差をブロック８０２で、ビデオ信号の第１の部分の垂直ブランキング区間（ＶＢＩ）の第１のラインのノイズ信号とＶＢＩの（すなわち、同じＶＢＩの）第２のラインのノイズ信号を比較することにより導出することができる。幾つかの実施形態では、ノイズ信号が比較されるＶＢＩの第１および第２のラインは、ＶＢＩの２つの連続ラインとすることができる。他の実施形態では、ノイズ信号が比較されるＶＢＩの第１および第２のラインは、ＶＢＩの２つの不連続ラインとすることができる。この場合も同じく、これらの実施形態のいずれにおいても、ＶＢＩの第１および第２のラインは、位相差を導出するときの対象となる第１および第２のビデオラインに関連付けられていてもよいが、関連付けられる必要はない。このように、ノイズ信号は、ビデオ信号の第１の部分の特定の２つのフレームに関連付けられるＶＢＩの第１および第２のラインに関して比較することができるが、比較の結果を使用して、どれほどの位相差が、ビデオ信号の第１の部分の任意の１つ以上のフレームの２つのビデオラインの間にあるかを推測することができる。
【００５４】
さらに別の例では、幾つかの実施形態において、位相差をブロック８０２で、ビデオ信号の第１のＶＢＩの一部分のノイズ信号とビデオ信号の第２のＶＢＩ（すなわち、異なるＶＢＩ）の一部分のノイズ信号を比較することにより導出することができる。
【００５５】
このように、上の例が示すように、幾つかの実施形態では、ブロック８０２における第１および第２のビデオラインのノイズ信号の位相差の導出は、第１および第２のビデオライン自体のアクティブ画素データではなく、ビデオ信号の他の部分の位相差、例えば、第１および第２のビデオラインに関連付けられるＨＢＩ、または１つ以上のＶＢＩの位相差を導出することにより行なうことができる。これは、ビデオ信号のこのような部分が、かなりの程度予測可能である（例えば、ＨＢＩのフロントポーチ、バックポーチ、および水平同期はそれぞれ、特定の所定レベルである、または特定の所定信号形状を有すると推定される）ので有利となり得るのに対し、ビデオライン自体のアクティブ画素データは予測可能でない場合があるので、ビデオライン自体の周期ノイズ信号を特定することは、はるかに困難であるか、または不可能でさえある。一旦、位相差がビデオ信号の任意のこのような部分から導出されると、第１のビデオラインと第２のビデオラインとの間の位相差を推測することができる。他の実施形態では、例えば、送信機４１０が特定のテストビデオライン、すなわち特定の既知のアクティブ画素コンテンツを含むビデオラインを受信機４２０に送信し、これにより、受信機４２０はノイズ信号４０２を単離することができ、第１のビデオラインと第２のビデオラインのＲｘ入力４２２の位相差を導出することができるように構成される場合、ブロック８０２は、位相差を、第１および第２のビデオライン自体のノイズ信号を評価することにより導出することを含むことができる。
【００５６】
方法８００のブロック８０４は、ブロック８０２で導出される位相差が、０〜９０度または２７０〜３６０度のいずれかである受信ビデオ信号Ｒｘ入力４２２の２つの連続ビデオラインの間の位相差（例えば、約−９０度〜＋９０度である受信ビデオ信号Ｒｘ入力４２２の２つの連続ビデオラインの間の位相差）に対応するような場合にライン反転が必要であると受信機４２０が判定することを含むことができる。ライン反転が必要であると判定された場合、送信機４１０および受信機４２０により反転される複数のビデオラインの部分集合は、ビデオ信号の複数のビデオラインの１つおきのビデオライン（例えば、１ラインおきのビデオライン、すなわち全ての奇数ビデオラインまたは全ての偶数ビデオライン）を含むことができる。
【００５７】
また、ブロック８０２における位相差の導出は、送信機４１０および受信機４２０がライン反転を既に行なっている状態で行なうこともできることに留意されたい（すなわち、方法８００の説明におけるビデオ信号の「第２の部分」と呼ばれる部分は、ブロック８０２の後続の実行における「第１の部分」でもあり得る）。このような場合、受信機４２０は、位相差範囲を適合させ、それに応じてブロック８０４でライン反転を維持するか、または無効にするかを判定することができる。幾つかの実施形態では、送信機４１０は、受信機４２０に送信されるＴｘ出力４１４を生成するためにライン反転を送信機４１０において有効または無効にするかどうかについての指示を受信機４２０に提供するように構成することができる。例えば、幾つかの実施形態では、送信機４１０は、ビデオ信号の一部として、受信機４２０に送信される対応するテストラインの現フレームの構成にフラグを立てる／現フレームの構成を特定するように構成することができる。別の例では、このようなテストラインは、ビデオ信号の幾つかのフレームに適用可能とすることができる。次に、受信機４２０は、送信機構成を当該指示から（例えば、テストラインから）抽出し、ライン反転を送信機４１０により提供される指示に従って有効または無効にする、すなわちライン反転を送信機４１０がライン反転を行なうときに有効にし、ライン反転を送信機４１０がライン反転を行なわないときに無効にするように構成することができる。例えば、幾つかの実施形態では、テストラインは、送信機４１０により、送信機４１０がアクティブ領域になっていない間に（すなわち、アクティブ画素データが送信されていないときに）挿入することができ、例えば、受信機４２０に対してライン反転を有効にする旨の指示を与えるためのフルスケール振幅とすることができ、受信機４２０に対してライン反転を無効にする旨の指示を与えるための０振幅とすることができ、逆の場合も同様である。
【００５８】
幾つかの実施形態では、ブロック８０２の測定および／または判定８０４は、受信ビデオ信号の幾つかの異なる部分にわたって数回行なわれ、次にライン反転を有効または無効にする最終判定が行なわれる。このような実施形態は、判定の精度を向上させることができる。
【００５９】
図８に具体的には示されていないが、方法８００は、一旦、適切なライン反転が行なわれると、受信信号Ｒｘ出力４２４を再生することをさらに含むことができる。これは、例えば、受信ビデオをディスプレイに表示することを含むことができる。
例示的なビデオシステム
【００６０】
図９は、本開示の幾つかの実施形態による例示的なビデオシステム９００を示している。図９に示すように、例示的なシステム９００は、アナログリンク９３０により結合される送信機９１０および受信機９２０を含むことができる。アナログリンク９３０は、任意の適切な有線導体ケーブル、例えば、ＡＣ結合リンクを参照して上に説明されるシングルエンド導体ケーブル２０８または差動ペアケーブル３０８とすることができる。他の例では、アナログリンク９３０はアナログＤＣ結合リンクとすることができる。送信機９１０は送信機４１０とすることができ、および／または受信機９２０は上に説明した受信機４２０とすることができる。
【００６１】
図９に示すように、送信機９１０は、ビデオ信号発生器９１２を含むことができる、またはビデオ信号発生器９１２に通信可能に結合させることができる。ビデオ信号生成器９１２は、受信機９２０にアナログリンク９３０を介して送信される信号を生成する任意の適切な手段を含むことができる。例えば、幾つかの実施形態では、ビデオ信号生成器９１２は、ビデオ信号（ビデオ信号は、複数のビデオ信号を含むことができる）を取得するように構成される任意の適切なイメージセンサ、画像システムプロセッサ、またはカメラ（カメラは、複数のカメラを含むことができる）を含むことができる。他の実施形態では、信号生成器９１２は、コンピュータ生成ビデオ信号を生成する手段を含むことができる。
【００６２】
図９にさらに示すように、送信機９１０はまた、１つ以上のデジタルアナログ変換器（ＤＡＣ）９１４を含むことができる、または１つ以上のデジタルアナログ変換器（ＤＡＣ）９１４に通信可能に結合させることができる。本明細書において使用されるように、「ＤＡＣ」という用語は、連続する物理量の振幅を表わすデジタル値を対応するアナログ値に変換する電子回路／デバイスを指している。幾つかの実施形態では、１つ以上のＤＡＣ９１４は、デジタル画素値を含むデジタルビデオ信号を受信し、デジタル値（すなわち、デジタル信号の離散時間値および離散振幅値）を連続する時間アナログ信号、および連続する振幅アナログ信号に変換するように構成することができる。幾つかの実施形態では、１つ以上のＤＡＣ９１４は、信号生成器９１２により生成されるデジタル信号、例えば、カメラにより取得されるデジタル画素値を含むデジタルビデオ信号を変換するように構成することができる（例えば、ライン反転を無効にする場合）。他の実施形態では、１つ以上のＤＡＣ９１４は、例えば、送信機ロジック９１６により処理されるような、信号発生器９１２により生成されるデジタル信号の処理後のデジタル信号を変換して、本明細書において説明される反転対象のビデオラインの特定の部分集合を含むように構成することができる（例えば、ライン反転を有効にする場合）。このように、１つ以上のＤＡＣ９１４は、デジタル処理された信号をアナログ領域に変換して受信機４２０にアナログリンク９３０を介してアナログ伝送する。
【００６３】
幾つかの実施形態では、１つ以上のＤＡＣ９１４の他に、送信機９１０は、１つ以上のアナログデジタル変換器（ＡＤＣ）（図９に具体的には示されていない）を含むことができる。本明細書において使用されるように、「ＡＤＣ」という用語は、アナログ信号により伝達される連続する物理量を、量の振幅を表わすデジタル数に（または、デジタル数を伝達するデジタル信号）に変換する電子回路／デバイスを指している。結果は、連続する時間アナログ入力信号および連続する振幅アナログ入力信号を離散時間デジタル信号および離散振幅デジタル信号に変換したデジタル値列（すなわち、デジタル信号）である。送信機９１０に含まれる様々な変換器は、例えば、プロセッサ９１５による制御の下で、クロックジェネレータ（図９に具体的には示されていない）により生成されるクロック信号が提供されることにより動作することができる。
【００６４】
図９にさらに示すように、送信機９１０は、送信機ロジック９１６をさらに含むことができる、または送信機ロジック９１６に通信可能に結合させることができる。送信機ロジック９１６は、ハードウェア、ソフトウェア、ファームウェア、またはこれらの１つ以上の任意の適切な組み合わせで実装することができ、本明細書において説明される送信機９１０の動作を制御するように構成することができる。この目的のために、本明細書において説明されるように、送信機ロジック９１６は、少なくとも１つのプロセッサ９１５および少なくとも１つのメモリ要素９１７を任意の他の適切なハードウェアおよび／またはソフトウェアと一緒に利用して、位相差測定を使用する送信機ロジックの所望の機能をノイズ信号に対して有効にして、ビデオ信号の特定のビデオラインのライン反転を実行してアナログリンク９３０を介して送信することができる。幾つかの実施形態では、プロセッサ９１５は、本開示において説明されるように、処理を行なうソフトウェアまたはアルゴリズムを実行することができ、例えば、プロセッサ９１５は、信号発生器９１２により生成される信号のデジタルアナログ変換を制御してアナログ伝送リンク９３０を介した送信を行なうアルゴリズムを実行することができる。さらに、プロセッサ９１５は、本明細書において説明されるように、Ｔｘ出力４１４の生成および受信機９２０への伝送を制御するアルゴリズムを実行することができる。この目的のために、プロセッサ９１５は、信号生成器９１２により生成される信号の画素値を、例えば、信号生成器９１２により生成されるデジタル形式で、ＤＡＣ９１４によるアナログへの変換の前に受信して、本明細書において説明されるライン反転を有効にする場合に幾つかのビデオラインに対して複数の画素値の反転を行なうように構成することができる。このように、幾つかの実施形態では、プロセッサ９１５は、反転したビデオラインを有するデジタル信号をアナログ領域に変換して受信機９２０に伝送する前に、選択したビデオラインに対して複数の画素値のライン反転をデジタル領域で行なうことができる。プロセッサ９１５は、本明細書において説明されるように、アナログ信号Ｔｘ出力４１４の受信機９２０への伝送を制御するように構成することもできる。プロセッサ９１５およびメモリ要素９１７のさらなる説明が以下に与えられる。
【００６５】
図９にさらに示すのは、送信機９１０が、信号を受信機９２０に送信する信号送信回路９１８を含むこともできる、または信号送信回路９１８に通信可能に結合させることもできるということである。具体的には、信号送信回路９１８は、例えば、ＤＡＣ９１４から取得され、送信機ロジック９１６によって処理されるアナログビデオ信号のアナログ伝送を有効にする構成要素を含むことができる。幾つかの実施形態では、このような構成要素は、カップリングコンデンサ、例えば、図２および図３を参照して説明した送信機側のカップリングコンデンサならびに信号のアナログ伝送に使用されるこの技術分野で知られている任意の他の回路を含むことができる。さらに、信号送信回路９１８は、送信機９１０から受信機９２０への指示の送信を有効にし、送信機９１０を有効にして本明細書において説明されるライン反転を行なう構成要素をさらに含むことができる。様々な実施形態では、このような指示は、アナログ形式でリンク９３０を介して、または送信機９１０と受信機９２０との間の別の通信チャネルを介して送信されるビデオ信号の一部として（すなわち、ビデオ信号に含まれる）送信することができ、当該別の通信チャネルは、有線または無線のいずれかとすることができる。
【００６６】
図９に示すビデオシステム９００の受信側に目を向けると、受信機９２０は、信号受信回路９２８、受信機ロジック９２６、ＡＤＣ９２４、および任意であるが、ビデオ消費デバイス９２２を含むことができる、またはこれらの構成要素に通信可能に結合させることができる。ビデオ消費デバイス９２２は、幾つかの実施形態では、画像システムプロセッサのようなビデオ処理デバイス、ＡＤＡＳプロセッサのようなビデオ分析デバイス、またはディスプレイのようなビデオレンダリングデバイスとすることができる。
【００６７】
信号受信回路９２８は、信号を送信機９１０から受信するように構成することができる。具体的には、信号受信回路９２８は、例えば、ＡＤＣ９２４に提供されてデジタルへの変換が行なわれ、場合によっては、ＡＤＣ９２４による変換後に、受信機ロジック９２６に提供されてさらに処理されるアナログビデオ信号のＡＣ結合伝送またはＤＣ結合伝送の受信を可能にする構成要素を含むことができる。幾つかの実施形態では、アナログビデオ信号のＡＣ結合伝送またはＤＣ結合伝送の受信を可能にする構成要素は、カップリングコンデンサ、例えば、図２および図３を参照して説明される受信機側のカップリングコンデンサ、ならびにアナログ信号の受信に使用される、この技術分野で知られている任意の他の回路を含むことができる。さらに、信号受信回路９２８は、他の情報を送信機９１０から受信することを可能にする構成要素をさらに含むことができる。この場合も同じく、本明細書において説明されるように、様々な実施形態では、このような他の情報、例えば、送信機９１０を有効にしてライン反転を実行することができるかどうかに関する指示は、アナログ形式でアナログリンク９３０を介して、または送信機９１０と受信機９２０との間の別の通信チャネルを介して送信されるビデオ信号の一部として（すなわち、ビデオ信号に含まれる）送信することができ、当該別の通信チャネルは、有線または無線のいずれかとすることができる。
【００６８】
図９に示すように、受信機９２０は、１つ以上のＡＤＣ９２４を含むこともできる。ビデオシステム９００に使用されるＡＤＣ９２４の場合、変換されるアナログ入力信号は、送信機９１０からアナログビデオリンク９３０を介して送信され、信号受信回路９２８により受信されて、例えば、デジタル形式で受信機ロジック９２６によりさらに処理されるビデオ信号とすることができる。幾つかの実施形態では、受信機９２０は、１つ以上のＤＡＣ（図９に具体的には示されていない）をさらに含むことができる。受信機９２０に含まれる様々な変換器は、例えば、プロセッサ９２５による制御の下で、クロックジェネレータ（図９に具体的には示されていない）により生成されるクロック信号が提供されることにより動作することができる。
【００６９】
送信機ロジック９１６と同様に、受信機ロジック９２６は、ハードウェア、ソフトウェア、ファームウェア、またはこれらの１つ以上の任意の適切な組み合わせに実装することができ、本明細書において説明される受信機９２０の動作を制御するように構成することができる。この目的のために、受信機ロジック９２６は、少なくとも１つのプロセッサ９２５および少なくとも１つのメモリ要素９２７を任意の他の適切なハードウェアおよび／またはソフトウェアと一緒に利用して、第１および第２のビデオラインのノイズ信号の間の位相差を導出して、導出した位相差を使用して、本明細書において説明されるライン反転を有効または無効にすべきかどうかを判定する受信機ロジックの所望の機能を有効にすることができる。幾つかの実施形態では、プロセッサ９２５は、ソフトウェアまたはアルゴリズムを実行して、本開示において説明される処理を行なうことができ、例えば、プロセッサ９２５は、信号受信回路９２８により受信される信号のアナログデジタル変換を、アナログ伝送リンク９３０を介して送信された後に、場合によっては、ＡＤＣ９２４によりデジタル領域に変換された後に制御するアルゴリズムを実行することができる。さらに、プロセッサ９２５は、第１および第２のビデオラインのノイズ信号の間の位相差の導出、および本明細書において説明されるライン反転を有効または無効にすべきかどうかを判定するために導出した位相差の使用を制御するアルゴリズムを実行することができる。プロセッサ９２５は、本明細書において説明されるように、ライン反転を有効または無効にすべきかどうかに関する指示を送信機９１０に提供するように構成することもできる。さらには、本明細書において説明されるライン反転を有効にする場合、プロセッサ９２５は、送信機９１０から受信される信号の画素値を、例えば、１つ以上のＡＤＣ９２４により変換されるデジタル形式で受信し、複数の画素値の反転を幾つかのビデオラインに対して行なうように構成することができる。このように、幾つかの実施形態では、反転したビデオラインを有するアナログ信号を送信機９１０から受信してデジタル領域に変換した後、プロセッサ９２５は、複数の画素値のライン反転を、選択したビデオラインに対してデジタル領域で行なうことができる。プロセッサ９２５およびメモリ要素９２７のさらなる説明が以下に与えられる。
【００７０】
プロセッサ９１５、９２５の各プロセッサは、他のシステム要素に、１つ以上の相互接続またはバスを介して通信可能に結合させるように構成することができる。このようなプロセッサは、プログラマブルロジックを実現するハードウェア、ソフトウェア、またはファームウェアの任意の組み合わせを含むことができ、非限定的な例として、マイクロプロセッサ、デジタルシグナルプロセッサ（ＤＳＰ）、フィールドプログラマブルゲートアレイ（ＦＰＧＡ）、プログラマブルロジックアレイ（ＰＬＡ）、特定用途向けＩＣ（ＡＳＩＣ）、または仮想マシンプロセッサを含む。プロセッサ９１５は、メモリ要素９１７に通信可能に結合させることができるのに対し、プロセッサ９２５は、メモリ要素９２７に、例えば、ダイレクトメモリアクセス（ＤＭＡ）構成で通信可能に結合させることができる。メモリ要素９１７、９２７の各メモリ要素は、ダブルデータレート（ＤＤＲ）ランダムアクセスメモリ（ＲＡＭ）、シンクロナスＲＡＭ（ＳＲＡＭ）、ダイナミックＲＡＭ（ＤＲＡＭ）、フラッシュ、リードオンリーメモリ（ＲＯＭ）、光媒体、仮想メモリ領域、磁気メモリもしくはテープメモリ、または任意の他の適切な技術を含む任意の適切な揮発性または不揮発性メモリ技術を含むことができる。特に断らない限り、本明細書において説明されるメモリ製品のいずれもが、「ｍｅｍｏｒｙ  ｅｌｅｍｅｎｔ（メモリ要素」という広義の用語に包含されると解釈されるべきである。
【００７１】
送信機９１０および受信機９２０の１つ以上の構成要素／要素に追跡または送信される情報は、任意のデータベース、レジスタ、制御リスト、キャッシュ、またはストレージ構造に提供および／または格納することができ、これらの全てを、任意の適切な時間枠で参照することができる。任意のこのようなストレージオプションは、本明細書において使用される「ｍｅｍｏｒｙ  ｅｌｅｍｅｎｔ（メモリ要素）」という広義の用語に含めることができ、このストレージオプションを使用して、メモリ要素９１７および／またはメモリ要素９２７を実装することができる。同様に、本明細書において説明される潜在的な処理要素、モジュール、およびマシンのいずれも、本明細書において使用される「ｐｒｏｃｅｓｓｏｒ（プロセッサ）」という広義の用語に包含されると解釈されるべきであり、プロセッサ９１５および／またはプロセッサ９２５を実行するために使用することができる。図９に示す要素群の各要素、例えば、信号発生器９１２、ＤＡＣ９１４、送信機ロジック９１６、ビデオ消費９２２、ＡＤＣ９２４、または受信機ロジック９２６は、データまたは情報をネットワーク環境において、有線通信リンクまたは無線通信リンクのいずれかを介して受信する、送信する、および／またはその他には、伝達する適切なインターフェースを含むこともできる。
【００７２】
特定の例示的な実施態様では、ビデオライン反転を使用して、本明細書において概説される周期干渉がビデオ信号のアナログ伝送に及ぼす影響を低減する機構は、非一時的な媒体を含むことができる１つ以上の有形媒体に符号化されたロジック、例えば、プロセッサまたは他の同様のマシンなどで実行されるＡＳＩＣ、ＤＳＰ命令、ソフトウェア（オブジェクトコードおよびソースコードを含む可能性がある）で提供される埋め込みロジックにより実現することができる。これらの例のうちの幾つかの例では、例えば、図９に示すメモリ要素９１７および９２７のようなメモリ要素は、本明細書において説明される操作に使用されるデータまたは情報を格納することができる。これは、本明細書において説明される処理を行うために実行されるソフトウェア、ロジック、コード、またはプロセッサ命令を格納できるメモリ要素を含む。プロセッサは、データまたは情報に関連する任意のタイプの命令を実行して、本明細書において詳述される動作を実現することができる。１つの例では、例えば、図９に示すプロセッサ９１５および９２５のようなプロセッサは、要素または物品（例えば、データ）を１つの状態または物から別の状態または物に変換することができる。別の例では、本明細書において概説される処理は、固定ロジックまたはプログラマブルロジック（例えば、プロセッサにより実行されるソフトウェア／コンピュータ命令）で実行することができ、本明細書において特定される要素は、所定のタイプのプログラマブルプロセッサ、プログラマブルデジタルロジック（例えば、ＦＰＧＡ、ＤＳＰ、消去可能なプログラマブルリードオンリーメモリ、電気的に消去可能なプログラマブルリードオンリーメモリ）、またはデジタルロジック、ソフトウェア、コード、電子命令、またはこれらの任意の適切な組み合わせを含むＡＳＩＣとすることができる。
例示的なデータ処理システム
【００７３】
図１０は、本開示の幾つかの実施形態による本明細書において開示されるビデオライン反転を使用して、周期干渉信号がビデオ信号のアナログ伝送に及ぼす影響を低減する例示的なデータ処理システムを示すブロック図を提供する。このようなデータ処理システムは、例えば、本明細書において説明される送信機ロジック９１６および／または受信機ロジック９２６として、または本明細書において開示されるビデオライン反転に関連して改善された様々な機構を実現するように構成される任意の他のシステムとして機能するように構成することができる。
【００７４】
図１０に示すように、データ処理システム１０００は、メモリ要素１００４にシステムバス１００６を介して結合される少なくとも１つのプロセッサ１００２を含むことができる。このようなことから、データ処理システムは、プログラムコードをメモリ要素１００４内に格納することができる。さらに、プロセッサ１００２は、メモリ要素１００４からシステムバス１００６を介してアクセスされるプログラムコードを実行することができる。１つの態様では、データ処理システムは、プログラムコードを格納および／または実行するのに適するコンピュータとして実装することができる。しかしながら、データ処理システム１０００は、本開示内で説明される機能を実行することができるプロセッサおよびメモリを含む任意のシステムの形態で実装することができることを理解されたい。
【００７５】
幾つかの実施形態では、上に説明したように、プロセッサ１００２はプロセッサ９１５とすることができ、メモリ要素１００４は、図９に示すビデオシステム９００の送信機９１０のメモリ要素９１７とすることができる。幾つかの実施形態では、上に説明したように、プロセッサ１００２はプロセッサ９２５とすることができ、メモリ要素１００４は、図９に示すビデオシステム９００の受信機９２０のメモリ要素９２７とすることができる。
【００７６】
メモリ要素１００４は、例えば、ローカルメモリ１００８および１つ以上の大容量記憶装置１０１０のような１つ以上の物理メモリデバイスを含むことができる。ローカルメモリは、プログラムコードを実際に実行している間に普通に使用されるＲＡＭまたは他の非永続的なメモリデバイス（群）を指すことができる。大容量記憶装置は、ハードドライブまたは他の永続的なデータストレージデバイスとして実装することができる。処理システム１０００は、少なくとも幾つかのプログラムコードを一時的に格納して、プログラムコードを大容量記憶装置１０１０から実行中に取り出す必要がある回数を減らすことができる１つ以上のキャッシュメモリ（図示せず）を含むこともできる。
【００７７】
任意であるが、入力デバイス１０１２および出力デバイス１０１４として図示されている入力／出力（Ｉ／Ｏ）デバイスは、データ処理システムに結合させることができる。入力デバイスの例は、これらには限定されないが、キーボード、マウスなどのようなポインティングデバイスなどを含むことができる。出力デバイスの例は、これらには限定されないが、モニタまたはディスプレイ、スピーカなどを含むことができる。入力デバイスおよび／または出力デバイスは、データ処理システムに直接結合させるか、またはＩ／Ｏコントローラを介在して結合させることができる。
【００７８】
ある実施形態では、入力および出力デバイスは、複合入力／出力デバイスとして実装することができる（入力デバイス１０１２および出力デバイス１０１４を取り囲む破線で図１０に示される）。このような複合デバイスの例が、「ｔｏｕｃｈ  ｓｃｒｅｅｎ  ｄｉｓｐｌａｙ（タッチスクリーンディスプレイ）」または単に「ｔｏｕｃｈ  ｓｃｒｅｅｎ（タッチスクリーン）」と呼ばれる場合もあるタッチセンシティブディスプレイである。このような実施形態では、デバイスへの入力は、例えば、タッチスクリーンディスプレイの上の、または近傍に、スタイラスまたはユーザの指のような物理的オブジェクトの移動により行なうことができる。
【００７９】
本開示の様々な実施形態によるビデオシステムに使用される場合、例えば、図９に示すビデオシステム９００に使用される場合、入力デバイス１０１２を使用して、例えば、ユーザにより行なわれる入力を受信して、ビデオシステム９００をユーザ入力に従って構成することができる。例えば、入力デバイス１０１２により受信される入力は、送信機９１０および／または受信機９２０を構成して、ビデオライン反転を、例えば、方法８００のブロック８０２で行なわれる位相差導出に基づいて有効または無効にすることができる。
【００８０】
ネットワークアダプタ１０１６は、任意であるが、データ処理システムに結合して、データ処理システムを他のシステム、コンピュータシステム、リモートネットワークデバイス、および／またはリモートストレージデバイスに、私設ネットワークまたは公衆ネットワークを介して結合させることも可能にし得る。ネットワークアダプタは、当該システム、デバイス、および／またはネットワークによりデータ処理システム１０００に送信されるデータを受信するデータ受信機と、データをデータ処理システム１０００から当該システム、デバイス、および／またはネットワークに送信するデータ送信機と、を備えることができる。モデム、ケーブルモデム、およびイーサネットカードは、データ処理システム１０００に使用することができる異なるタイプのネットワークアダプタの例である。
【００８１】
本開示の様々な実施形態によるビデオシステムに使用される場合、例えば、図９に示すビデオシステム９００に使用される場合、ネットワークアダプタ１０１６を使用して入力を他のシステム、コンピュータシステム、リモートネットワークデバイス、および／またはリモートストレージデバイスから私設ネットワークまたは公衆ネットワークを介在して受信することができ、ビデオシステム９００を、受信入力に従って構成することができる。例えば、ネットワークアダプタ１０１６は、この時点で入力が他のシステム、コンピュータシステム、リモートネットワークデバイス、および／またはリモートストレージデバイスから私設ネットワークまたは公衆ネットワークを介在して受信される場合を除いて、入力デバイス１０１２によりユーザから受信される入力を参照して説明される入力例を受信するように構成することができる。次に、ビデオシステム９００の送信機９１０および受信機９２０は、ネットワークアダプタ１０１６により受信される入力に従って構成することができ、例えば、本明細書において説明されるビデオライン反転を有効または無効にするように構成することができる。
【００８２】
図１０に示すように、メモリ要素１００４は、アプリケーション１０１８を格納することができる。様々な実施形態では、アプリケーション１０１８は、ローカルメモリ１００８、１つ以上の大容量記憶装置１０１０に格納することができるか、またはローカルメモリおよび大容量記憶装置以外に格納することができる。データ処理システム１０００は、アプリケーション１０１８の実行を容易にすることができるオペレーティングシステム（図１０には図示せず）をさらに実行することができることを理解されたい。実行可能なプログラムコードの形態で実装されるアプリケーション１０１８は、データ処理システム１０００により、例えば、プロセッサ１００２により実行することができる。アプリケーションの実行に応答して、データ処理システム１０００は、本明細書において説明される１つ以上の操作、または方法ステップを実行するように構成することができる。例を選択
選択例
【００８３】
例１は、アナログ形式で、ビデオ信号をビデオリンク（例えば、有線接続として実現される）を介して伝達するビデオシステムを提供する。システムは、送信機によりビデオリンクを介して送信されるビデオ信号の第１の部分を受信し、ビデオ信号の第１の部分の第１のビデオラインのノイズ信号とビデオ信号の第１の部分の第２のビデオラインのノイズ信号との間の位相差を導出し、位相差が所定の範囲内にあると判定された場合、受信機により受信されるビデオ信号の第２の部分を、ビデオ信号の第２の部分の複数のビデオラインの部分集合を反転させることにより変調するように構成される受信機を含む。
【００８４】
例２は、例１によるビデオシステムを提供し、第１のビデオラインおよび第２のビデオラインは、ビデオ信号の第１の部分の単一フレームに関連する連続ラインである。
【００８５】
例３は、例１によるビデオシステムを提供し、第１のビデオラインおよび第２のビデオラインは、ビデオ信号の第１の部分の単一フレームに関連する不連続ラインである。
【００８６】
例４は、例１によるビデオシステムを提供し、第１のビデオラインおよび第２のビデオラインは、ビデオ信号の第１の部分の異なるフレームに関連するビデオラインである。
【００８７】
例５は、例１〜例４のうちいずれか１つの例によるビデオシステムを提供し、位相差は、ビデオ信号の第１の部分の第１のＨＢＩの一部分のノイズ信号とビデオ信号の第１の部分の第２のＨＢＩの一部分のノイズ信号を比較することにより導出される。
【００８８】
例６は、例５によるビデオシステムを提供し、第１のＨＢＩの一部分は、第１のＨＢＩのフロントポーチ、バックポーチ、または水平同期パルスのうちの１つであり、第２のＨＢＩの一部分は、第２のＨＢＩのフロントポーチ、バックポーチ、または水平同期パルスのうちの１つである。
【００８９】
例７は、例１〜例４のうちいずれか１つの例によるビデオシステムを提供し、位相差は、ＶＢＩの第１のラインのノイズ信号とＶＢＩの（すなわち、同じＶＢＩの）第２のラインのノイズ信号を比較することにより導出される。
【００９０】
例８は、例１〜例４のうちいずれか１つの例によるビデオシステムを提供し、位相差は、ビデオ信号の第１の部分の第１のＶＢＩの一部分のノイズ信号と、ビデオ信号の第１の部分の第２のＶＢＩの一部分のノイズ信号を比較することにより導出される。
【００９１】
例９は、前出の例のうちいずれか１つの例によるビデオシステムを提供し、位相差は、位相差の絶対値が約９０度未満である場合（すなわち、位相差が約−９０度〜＋９０度であるか、または別の言い方をすると、位相差が０〜９０度であるか、もしくは２７０〜３６０度である場合）所定の範囲内にある。
【００９２】
例１０は、前出の例のうちいずれか１つの例によるビデオシステムを提供し、ビデオ信号の第２の部分の複数のビデオラインの部分集合は、ビデオ信号の第２の部分の複数のビデオラインの１つおきのビデオライン（例えば、１ラインおきのビデオライン、すなわち全ての奇数ビデオラインまたは全ての偶数ビデオライン）を含む。
【００９３】
例１１は、前出の例のうちいずれか１つの例によるビデオシステムを提供し、位相差が所定の範囲内にあると判定された場合、送信機は、ビデオライン反転を有効にして、送信機がビデオ信号の第２の部分の複数のビデオラインの部分集合を反転させるように構成される。
【００９４】
例１２は、例１１によるビデオシステムを提供し、受信機は、位相差が所定の範囲内にあると判定された場合に、ビデオライン反転を有効にする指示を送信機に提供するようにさらに構成され、送信機は、指示を受信機から受信することに応答してビデオライン反転を有効にするように構成される。
【００９５】
例１３は、例１１によるビデオシステムを提供し、送信機は、手動で構成されることによりビデオライン反転を有効にするように構成される。
【００９６】
例１４は、例１１〜１３のうちいずれか１つの例によるビデオシステムを提供し、受信機は、ビデオライン反転が送信機において有効である（すなわち、送信機により適用されている）かどうかを示す指示を受信するようにさらに構成される。幾つかの実施形態では、当該指示は送信機により提供することができる。他の実施形態では、送信機がビデオライン反転を有効にすると受信機は手動でビデオライン反転を行なうように構成されている場合、当該指示はなんらかの他のエンティティ、例えばユーザ入力から受信することができる。
【００９７】
例１５は、前出の例のうちいずれか１つの例によるビデオシステムを提供し、ビデオリンクはＡＣ結合ビデオリンクである。
【００９８】
例１６は、アナログ形式でビデオ信号を、有線接続を介して（すなわち、有線ビデオリンクを介して）伝達するビデオシステムを提供する。システムは、送信出力ビデオ信号（Ｔｘ出力）を送信入力ビデオ信号（Ｔｘ入力）に基づいて、Ｔｘ入力の複数のビデオラインの部分集合を反転させることにより生成し、複数のビデオラインの部分集合を反転させる旨の指示を受信機に提供し、Ｔｘ出力を受信機にアナログ形式で有線接続を介して送信するように構成される送信機を含む。
【００９９】
例１７は、受信機をさらに含む例１６によるビデオシステムを提供し、受信機は、受信入力ビデオ信号（Ｒｘ入力）を受信し、Ｒｘ入力はＴｘ出力を表わし（例えば、Ｔｘ出力に基づく、またはＴｘ出力を含む）、Ｔｘ出力の複数のビデオラインの部分集合を反転させる旨の指示を受信し、受信出力ビデオ信号（Ｒｘ出力）をＲｘ入力に基づいて、Ｒｘ入力の複数のビデオラインの部分集合を反転させることにより生成するように構成されている。
【０１００】
例１８は、例１７によるビデオシステムを提供し、受信機は、送信機がＴｘ出力をＴｘ入力の複数のビデオラインの部分集合を反転させることにより生成する前に、ノイズ信号が送信機から受信機への伝送中にＴｘ出力に付加されることにより、目に見える劣化がもたらされると判定し、Ｔｘ入力の複数のビデオラインの部分集合を反転させることによりＴｘ出力を生成する旨の指示を送信機に提供するようにさらに構成される。
【０１０１】
例１９は、アナログ形式でビデオ信号を、ビデオリンク（例えば、有線接続として実現される）を介し伝達するビデオシステムを提供する。システムは、受信機および送信機を含む。送信機は、ビデオ信号（Ｔｘ出力）をアナログ形式で有線接続を介して受信機に送信するように構成される。受信機は、送信機により送信されるビデオ信号（Ｒｘ入力）を受信するように構成される。受信機により受信されるビデオ信号（Ｒｘ入力）が、周期ノイズ信号を含み（送信機により送信されるビデオ信号データに加えて）、周期ノイズ信号が、受信機により受信されるビデオ信号（Ｒｘ入力）の周期ノイズ信号のライン間位相差が所定の範囲内にあるようなノイズ信号である場合、送信機および受信機の各々は、ライン反転を有効にするように構成される。ライン反転が送信機において有効になる場合、送信機は、ビデオ信号を受信機に送信する前に、ビデオ信号の複数のビデオラインの部分集合を反転させるように構成される。ライン反転が受信機において有効になる場合、受信機は、例えば、受信ビデオ信号をディスプレイに表示する前に、受信機により受信されるビデオ信号の複数のビデオラインの部分集合を反転させるように構成される。このように、受信機により受信されるビデオ信号の周期ノイズ信号のライン間位相差が所定の範囲内にある場合、送信機および受信機の各々は、ライン反転をビデオ信号の複数のビデオラインの部分集合に対して有効にするように構成される。
【０１０２】
例２０は、例１９によるビデオシステムを提供し、所定の範囲は、−９０度〜＋９０度である（すなわち、ライン間位相差の絶対値が約９０度未満である場合、または別の言い方をすると、ライン間位相差が０〜９０度、もしくは２７０〜３６０度のいずれかである場合）。
【０１０３】
例２１は、例１９または例２０によるビデオシステムを提供し、ビデオ信号の複数のビデオラインの部分集合は、ビデオ信号の少なくとも１つの一部分のアクティブ画素値を１ラインおき（例えば、全ての奇数ビデオラインまたは全ての偶数ビデオライン）に含む。
【０１０４】
例２２は、例１９〜例２１のうちいずれか１つの例によるビデオシステムを提供し、受信機は、受信機により受信されるビデオ信号の周期ノイズ信号のライン間位相差を導出するように構成され、受信機により受信されるビデオ信号の周期ノイズ信号のライン間位相差が所定の範囲内にあると判定されると、指示を送信機に提供するようにさらに構成される。
【０１０５】
例２３は、例１９〜例２２のうちいずれか１つの例によるビデオシステムを提供し、送信機は、ビデオ信号を受信機に送信する前にビデオ信号の複数のビデオラインの部分集合を反転させる場合に、送信機におけるライン反転を有効にする旨の指示を受信機に提供するように構成される。
【０１０６】
例２４は、アナログ形式でビデオ信号を、ビデオリンクを介して伝達するビデオシステムを操作する方法を提供する。この方法は、ビデオ信号の第１の部分をビデオシステムの受信機に送信するビデオシステムの送信機を含み、送信機から受信されるビデオ信号の第１の部分の第１のビデオラインのノイズ信号と、送信機から受信されるビデオ信号の第１の部分の第２のビデオラインのノイズ信号との間の位相差を導出する受信機をさらに含む。位相差が所定の範囲内にあると判定された場合、方法は、受信機が指示を送信機に提供して、受信機への伝送が行なわれる前に、ビデオ信号の第２の部分を、ビデオ信号の第２の部分の複数のビデオラインの部分集合を反転させることにより変調することを含む。位相差が所定の範囲内にあると判定された場合、方法は、送信機がビデオ信号の第２の部分を受信機に送信することであって、ビデオ信号の第２の部分の複数のビデオラインの部分集合を反転させる、送信することと、受信機が、送信機から受信されるビデオ信号の第２の部分の複数のビデオラインの部分集合を反転させてビデオ信号の変調後の第２の部分を生成することと、を含む。任意であるが、方法は、受信機が、ビデオ信号の変調後の第２の部分をディスプレイに表示することをさらに含む。
【０１０７】
例２５は、例２４による方法を提供し、方法は、送信機がビデオ信号の第２の部分を、ビデオ信号の第２の部分の複数のビデオラインの部分集合を反転させることにより変調した旨の指示を受信機に送信することをさらに含む。
【０１０８】
例２６は、前出の例のうちいずれか１つの例によるビデオシステムを用いて操作される、またはビデオシステムにおいて操作されるように構成される例２４〜例２５による方法を提供する。
【０１０９】
例２７は、前述の例のうちいずれか１つの例によるビデオシステムを操作する方法を提供する。
【０１１０】
前出の例のうちいずれか１つの例のシステム、送信機、受信機、および方法のうちいずれか１つは、車両において、または監視システムにおいて実装することができる。さらに、前出の例のうちいずれか１つの例のシステム、送信機、受信機、および方法のうちいずれか１つは、アナログ伝送リンクを介して、例えば、ＡＣ結合リンクを介して送信されるビデオ信号を取得するように構成されるカメラを含むことができる、またはカメラに通信可能に結合させる／接続することができ、カメラは、リンクを介して送信されるビデオ信号の画素値を生成するように構成される複数の光センサ（例えば、フォトダイオード）を含むことができる。
他の実施態様の注記、変形、および用途
【０１１１】
本明細書において説明される原理および利点は、ビデオデータまたは画像データがアナログ伝送リンクを介して送信され、１つ以上の周期ノイズ信号が伝送に干渉する可能性がある任意のデバイスまたはシステムにおいて使用することができる。本明細書において述べられる全ての目的または利点が、本明細書において説明される任意の特定の実施形態に従って必ずしも実現することができる訳ではないことを理解されたい。このように、例えば、当業者であれば、特定の実施形態が、本明細書において教示または示唆され得る他の目的または利点を必ずしも実現することなく、本明細書において教示される１つの利点または利点群を実現または最適化するように動作するように構成することができることを認識することができるであろう。
【０１１２】
１つの例示的な実施形態では、これらの図の任意の数の電気回路を、関連する電子デバイスの回路基板に実装することができる。回路基板は、電子デバイスの内部電子システムの様々な構成要素を保持することができ、さらに、他の周辺機器のコネクタとなることができる汎用回路基板とすることができる。より具体的には、回路基板は電気接続を可能にし、この電気接続を介して、システムの他の構成要素が電気的に通信することができる。任意の適切なプロセッサ（ＤＳＰ、マイクロプロセッサ、サポート用チップセットなどを含む）、非一時的なコンピュータ可読メモリ要素などは、回路基板に特定の構成ニーズ、処理要求、コンピュータ設計などに基づいて適切に結合させることができる。外部ストレージ、追加センサ、オーディオ／ビデオディスプレイ用のコントローラ、および周辺機器のような他の構成要素は回路基板に、プラグインカードとして、ケーブルを介して取り付けることができる、または回路基板自体に一体化することができる。様々な実施形態では、本明細書において説明される機能は、これらの機能をサポートする構造に配置される１つ以上の構成可能（例えば、プログラム可能）な要素内で実行されるソフトウェアまたはファームウェアとしてエミュレーション形式で実装することができる。エミュレーションを可能にするソフトウェアまたはファームウェアは、プロセッサにこれらの機能を実行させることを可能にする命令を含む非一時的なコンピュータ可読記憶媒体上に設けることができる。
【０１１３】
別の例示的な実施形態では、これらの図の電気回路は、スタンドアロンモジュール（例えば、特定のアプリケーションまたは機能を実行するように構成される関連する構成要素および回路を有するデバイス）として、またはプラグインモジュールとして、電子デバイスの特定用途向けハードウェアに実装することができる。本開示の特定の実施形態は、システムオンチップ（ＳＯＣ）パッケージに一部または全体を容易に含めることができることに留意されたい。ＳＯＣは、コンピュータまたは他の電子システムの構成要素をシングルチップに集積化したＩＣを表わしている。当該ＳＯＣは、デジタル機能、アナログ機能、混合信号機能、および多くの場合、無線周波数機能を含むことができ、これらの機能の全てを、シングルチップ基板上に設けることができる。他の実施形態は、単一の電子パッケージ内に配置され、互いに密接に電子パッケージを介して相互作用するように構成される複数の個別ＩＣを備えるマルチチップモジュール（ＭＣＭ）を含むことができる。様々な他の実施形態では、デジタルフィルタは、特定用途向け集積回路（ＡＳＩＣ）、ＦＰＧＡ、および他の半導体チップの１つ以上のシリコンコアに実装することができる。
【０１１４】
本明細書において概説されている全ての仕様、寸法、および関係（例えば、プロセッサの数、論理演算など）は、例示および教示のみを目的として提供されているに過ぎないことにも留意すべきである。このような情報は、本開示の趣旨、または添付の特許請求の範囲から逸脱することなく、大幅に変更することができる。仕様は１つの非限定的な例にのみ適用され、したがって仕様は、そのようなものであると解釈されるべきである。これまでの説明では、例示的な実施形態は、構成要素の特定の配置を参照して説明されている。様々な修正および変更は、このような実施形態に対して添付の特許請求の範囲から逸脱することなく行なうことができる。したがって、説明および図面は、限定的な意味ではなく例示的なものと見なされるべきである。
【０１１５】
本明細書において提供される多くの例では、相互作用は、２つの、３つの、４つの、またはそれよりも多くの電気部品の観点から説明されている場合があることに留意されたい。しかしながら、これは、明瞭性および例示を目的としてのみ行なわれている。システムは、任意の適切な方法で分散させる、または統合することができることを理解されたい。同様の設計代替物に沿って、これらの図の図示されている構成要素、モジュール、および要素のいずれも、様々な可能な構成で組み合わせることができ、これらの構成の全ては、明らかに本開示の広い範囲内にある。特定の場合では、限られた数の電気要素のみを参照することにより、所定の一連のフローの機能群のうち１つ以上の機能を記述することがより容易になり得る。これらの図の電気回路および電気回路の教示は、容易に拡張可能であり、非常に多くの構成要素、ならびにより複雑／高度な配置および構成に対応できることを理解されたい。したがって、提供される例は、無数の他のアーキテクチャに適用される可能性があるので、電気回路の範囲を限定してはならない、または広範な教示を妨げてはならない。
【０１１６】
本開示では、「ｏｎｅ  ｅｍｂｏｄｉｍｅｎｔ（１つの実施形態）」、「ｅｘａｍｐｌｅ  ｅｍｂｏｄｉｍｅｎｔ（例示的な実施形態）」、「ａｎ  ｅｍｂｏｄｉｍｅｎｔ（ある実施形態）」「ａｎｏｔｈｅｒ  ｅｍｂｏｄｉｍｅｎｔ（別の実施形態）」、「ｓｏｍｅ  ｅｍｂｏｄｉｍｅｎｔｓ（幾つかの実施形態）」、「ｖａｒｉｏｕｓ  ｅｍｂｏｄｉｍｅｎｔｓ（様々な実施形態）」、「ｏｔｈｅｒ  ｅｍｂｏｄｉｍｅｎｔｓ（他の実施形態）」、「ａｌｔｅｒｎａｔｉｖｅ  ｅｍｂｏｄｉｍｅｎｔ（代替実施形態）」などに含まれる様々な特徴（例えば、要素、構造、モジュール、構成要素、ステップ、操作、特性など）への言及は、任意のこのような特徴が本開示の１つ以上の実施形態に含まれるが、同じ実施形態において組み合わせることができる、または必ずしも組み合わされなくてもよいことを意味するものであることに留意されたい。
【０１１７】
周期干渉信号がビデオ信号のアナログ伝送に及ぼす影響、例えば、図８に示す１つ以上のプロセスに要約されている影響を低減するためのビデオライン反転に関連する機能は、これらの図に図示されるシステム、例えば、図４、図９、または図１０に示されるシステムにより実行する、またはシステム内で実行することができる可能な機能のうち幾つかの機能だけを示していることに留意することも重要である。これらの操作のうち幾つかの操作は、必要に応じて消去もしくは削除することができる、またはこれらの操作は、本開示の範囲から逸脱することなく大幅に修正もしくは変更することができる。また、これらの操作のタイミングは大幅に変更してもよい。例えば、図８に示す前出の操作フローは、例示および説明の目的で提供されている。任意の適切な配置、時間順に並べた事象、構成、およびタイミング機構を本開示の教示から逸脱することなく実現することができることから、非常に大きなフレキシビリティが、本明細書において説明される実施形態により実現される。
【０１１８】
非常に多くの他の交換、置換、変形、変更、および修正を当業者が確認することができ、本開示は、全てのこのような交換、置換、変形、変更、および修正を、添付の特許請求の範囲内にあるものとして包含するものとする。上に説明した装置、デバイス、またはシステムのいずれかの全ての任意の特徴は、当該装置、デバイス、またはシステムを使用または操作する方法またはプロセスに関して実現することもでき、本明細書において説明される装置、デバイス、またはシステムのいずれかに関して提供される例の詳細は、対応する方法またはプロセスのいずれの箇所でも使用することができ、逆に、方法またはプロセスのいずれかに関して提供される例の詳細は、対応する装置、デバイス、またはシステムのいずれの箇所でも使用することができることに留意されたい。
【符号の説明】
【０１１９】
１００  水平同期パルス
１０２  ビデオライン
１０４  ビデオライン
１０６  フロントポーチ
２００  結合伝送方式
２０２  送信機
２０４  全抵抗
２０６  カップリングコンデンサ
２０８  導体ケーブル
２１２  全抵抗
２１４  基準接地
２１６  受信機
３００  結合伝送方式
３０２  送信機
３０４  抵抗
３０６  カップリングコンデンサペア
３０８  導体ケーブル
３１２  抵抗
３１６  受信機
４００  ビデオシステム
４０２  ノイズ信号
４０４  加算器
４０８  ケーブル
４１０  送信機
４１２  入力
４１４  出力
４２０  受信機
４２２  入力
４２４  出力
５０２  一点鎖線ボックス
５０４  一点鎖線ボックス
５０６  一点鎖線ボックス
６０２  一点鎖線ボックス
６０４  一点鎖線ボックス
６０６  一点鎖線ボックス
７０２  一点鎖線ボックス
７０４  一点鎖線ボックス
７０６  一点鎖線ボックス
７０８  一点鎖線ボックス
９００  ビデオシステム
９１０  送信機
９１２  信号発生器
９１４  デジタルアナログ変換器（ＤＡＣ）
９１５  プロセッサ
９１６  送信機ロジック
９１７  メモリ要素
９１８  信号送信回路
９２０  受信機
９２２  ビデオ消費
９２５  プロセッサ
９２６  受信機ロジック
９２７  メモリ要素
９２８  信号受信回路
９３０  アナログ伝送リンク
１０００  データ処理システム
１００２  プロセッサ
１００４  メモリ要素
１００６  システムバス
１００８  ローカルメモリ
１０１０  以大容量記憶装置
１０１２  入力デバイス
１０１４  出力デバイス
１０１６  ネットワークアダプタ
１０１８  アプリケーション
【図１】
2020184754.tif 000003
【図２】
2020184754.tif 000004
【図３】
2020184754.tif 000005
【図４】
2020184754.tif 000006
【図５】
2020184754.tif 000007
【図６】
2020184754.tif 000008
【図７】
2020184754.tif 000009
【図８】
2020184754.tif 000010
【図９】
2020184754.tif 000011
【図１０】
2020184754.tif 000012